(57)【要約】  パケットで通信するための呼制御サーバ(200,300)とメッセージ送信サーバ(500)とを備えた通信システムを提供する。呼制御サーバは、発信側のプリファレンス情報を含み、着信側を呼び出すための呼出要求を受信する呼出要求受信部と、受信した呼出要求を着信側に伝えるために、呼出要求を受信したことを示す情報と、呼出要求に含まれるプリファレンス情報とを含む呼出要求受信情報をメッセージ送信サーバに送信する呼出要求送信部とを備え、メッセージ送信サーバが、呼制御サーバから送信された呼出要求受信情報を受信する情報受信部と、受信した呼出要求受信情報に基づいて、発信側との通信を起動させる起動メッセージに、呼出要求受信情報に含まれるプリファレンス情報を含めて着信側に送信する起動メッセージ送信部とを備える。
2008078798.tif 000002
【特許請求の範囲】
【請求項１】
パケットで通信するための呼制御サーバと、メッセージ送信サーバとを備えた通信システムであって、
前記呼制御サーバが、
発信側のプリファレンス情報を含み、着信側を呼び出すための呼出要求を受信する呼出要求受信部と、
前記受信した呼出要求を前記着信側に伝えるために、前記呼出要求を受信したことを示す情報と、前記呼出要求に含まれるプリファレンス情報とを含む呼出要求受信情報を前記メッセージ送信サーバに送信する呼出要求送信部と、を備え、
前記メッセージ送信サーバが、
前記呼制御サーバから送信された前記呼出要求受信情報を受信する情報受信部と、
前記受信した呼出要求受信情報に基づいて、前記パケットで通信するための呼制御サーバへのログイン処理を起動させる起動メッセージに、前記呼出要求受信情報に含まれるプリファレンス情報を含めて前記着信側に送信する起動メッセージ送信部と、を備える、
ことを特徴とする通信システム。
【請求項２】
請求項１に記載の通信システムにおいて、
前記プリファレンス情報が、
前記通信で使用する通信回線の帯域に関連する帯域関連情報と、前記通信にかかる課金に関連する課金関連情報とのうち少なくとも一方を含む、
ことを特徴とする通信システム。
【請求項３】
請求項１に記載の通信システムにおいて、
前記通信システムが、
複数の無線通信システムに接続することが可能な、前記着信側としての無線通信端末をさらに備え、
前記無線通信端末が、
前記メッセージ送信サーバから送信された、前記プリファレンス情報を含む起動メッセージを受信する受信部と、
前記受信した起動メッセージに含まれる前記発信側のプリファレンス情報に基づいて、前記複数の無線通信システムのうち、１つの無線通信システムを選択し、該選択した１つの無線通信システムに接続して、該接続した無線通信システムを介して前記呼制御サーバにログイン処理するように制御する制御部と、を備える、
ことを特徴とする通信システム。
【請求項４】
複数の無線通信システムに接続することが可能な無線通信端末であって、
発信側のプリファレンス情報を含み、パケットで通信するための呼制御サーバへのログイン処理を起動させるための起動メッセージをメッセージ送信サーバから受信する受信部と、
前記受信した起動メッセージに含まれる前記発信側のプリファレンス情報に基づいて、前記複数の無線通信システムのうち、１つの無線通信システムを選択し、該選択した１つの無線通信システムに接続して、該接続した無線通信システムを介して前記呼制御サーバにログイン処理するように制御する制御部と、
を備えることを特徴とする無線通信端末。
【請求項５】
請求項４に記載の無線通信端末において、
前記プリファレンス情報が、
前記通信で使用する通信回線の帯域に関連する帯域関連情報と、前記通信にかかる課金に関連する課金関連情報とのうち少なくとも一方を含む、
ことを特徴とする無線通信端末。
【請求項６】
請求項４に記載の無線通信端末において、
前記接続した無線通信システムとの無線通信における電波状態を示す電波状態情報を前記発信側に送信する送信部、
をさらに備えることを特徴とする無線通信端末。
【請求項７】
請求項４に記載の無線通信端末において、
前記受信部が、前記着信側から送信された、該着信側が接続している無線通信システムの無線通信における電波状態を示す電波状態情報を受信し、
前記無線通信端末が、
前記受信した電波状態情報を表示する表示部をさらに備える、
ことを特徴とする無線通信端末。
【請求項８】
パケットで通信するための呼制御サーバと、メッセージ送信サーバとを用いた通信方法であって、
前記呼制御サーバが、
発信側のプリファレンス情報を含み、着信側を呼び出すための呼出要求を受信する呼出要求受信ステップと、
前記呼制御サーバが、前記受信した呼出要求を前記着信側に伝えるために、前記呼出要求を受信したことを示す情報と、前記呼出要求に含まれるプリファレンス情報とを含む呼出要求受信情報を前記メッセージ送信サーバに送信する呼出要求送信ステップと、
前記メッセージ送信サーバが、
前記呼制御サーバから送信された前記呼出要求受信情報を受信する情報受信ステップと、
前記受信した呼出要求受信情報に基づいて、前記パケットで通信するための呼制御サーバへのログイン処理を起動させる起動メッセージに、前記呼出要求受信情報に含まれるプリファレンス情報を含めて前記着信側に送信する起動メッセージ送信ステップと、
を有することを特徴とする通信方法。
【請求項９】
複数の無線通信システムに接続することが可能な無線通信端末の無線通信方法であって、
発信側のプリファレンス情報を含み、パケットで通信するための呼制御サーバへのログイン処理を起動させるための起動メッセージをメッセージ送信サーバから受信する受信ステップと、
前記受信した起動メッセージに含まれる前記発信側のプリファレンス情報に基づいて、前記複数の無線通信システムのうち、１つの無線通信システムを選択し、該選択した１つの無線通信システムに接続して、該接続した無線通信システムを介して前記呼制御サーバにログイン処理するように制御する制御ステップと、
を有することを特徴とする無線通信方法。
【請求項１０】
パケットで通信するための呼制御サーバと、無線通信システムに対して送信されるページングメッセージを処理するためのページング制御装置とを備えた通信システムであって、
前記呼制御サーバが、
発信側のプリファレンス情報を含み、着信側を呼び出すための呼出要求を受信する呼出要求受信部と、
前記受信した呼出要求を前記着信側に伝えるために、前記呼出要求を受信したことを示す情報と、前記呼出要求に含まれるプリファレンス情報とを含む呼出要求受信情報を前記メッセージ送信サーバに送信する呼出要求送信部と、を備え、
前記ページング制御装置が、
前記呼制御サーバから送信された前記呼出要求受信情報を受信する情報受信部と、
前記受信した呼出要求受信情報に基づいて、前記着信側を呼び出して該着信側への着信を伝えるためのページングメッセージに、前記呼出要求受信情報に含まれるプリファレンス情報を含めて前記無線通信システムに送信するように制御するページングメッセージ送信制御部と、を備える、
ことを特徴とする通信システム。
【請求項１１】
請求項１０に記載の通信システムにおいて、
前記プリファレンス情報が、
前記通信で使用する通信回線の帯域に関連する帯域関連情報と、前記通信にかかる課金に関連する課金関連情報とのうち少なくとも一方を含む、
ことを特徴とする通信システム。
【請求項１２】
請求項１０に記載の通信システムにおいて、
前記通信システムが、
複数の無線通信システムに接続することが可能な、前記着信側としての無線通信端末をさらに備え、
前記無線通信端末が、
前記ページング制御装置から送信された、前記プリファレンス情報を含むページングメッセージを受信する受信部と、
前記受信したページングメッセージに含まれる前記発信側のプリファレンス情報に基づいて、前記複数の無線通信システムのうち、１つの無線通信システムを選択し、該選択した１つの無線通信システムに接続して、該接続した無線通信システムを介して前記呼制御サーバにログイン処理するように制御する制御部と、を備える、
ことを特徴とする通信システム。
【請求項１３】
複数の無線通信システムに接続することが可能な無線通信端末であって、
前記複数の無線通信システムのうち、待ち受け中の無線通信システムから自端末を呼び出すページングメッセージであって自端末への着信を報知するページングメッセージを受信する受信部と、
前記受信したページングメッセージに含まれる発信側のプリファレンス情報に基づいて、前記複数の無線通信システムのうち、１つの無線通信システムを選択し、該選択した１つの無線通信システムに接続して、該接続した無線通信システムを介して前記呼制御サーバにログイン処理するように制御する制御部と、
を備えることを特徴とする無線通信端末。
【請求項１４】
請求項１３に記載の無線通信端末において、
前記プリファレンス情報が、
前記通信で使用する通信回線の帯域に関連する帯域関連情報と、前記通信にかかる課金に関連する課金関連情報とのうち少なくとも一方を含む、
ことを特徴とする無線通信端末。
【請求項１５】
請求項１３に記載の無線通信端末において、
前記接続した無線通信システムとの無線通信における電波状態を示す電波状態情報を前記発信側に送信する送信部、
をさらに備えることを特徴とする無線通信端末。
【請求項１６】
請求項１３に記載の無線通信端末において、
前記受信部が、相手側から送信された、該相手側が接続している無線通信システムの無線通信における電波状態を示す電波状態情報を受信し、
前記無線通信端末が、
前記受信した電波状態情報を表示する表示部をさらに備える、
ことを特徴とする無線通信端末。
【請求項１７】
パケットで通信するための呼制御サーバと、無線通信システムに対して送信されるページングメッセージを処理するためのページング制御装置とを用いた通信方法であって、
前記呼制御サーバが、発信側のプリファレンス情報を含み、着信側を呼び出すための呼出要求を受信する呼出要求受信ステップと、
前記呼制御サーバが、前記受信した呼出要求を前記着信側に伝えるために、前記呼出要求を受信したことを示す情報と、前記呼出要求に含まれるプリファレンス情報とを含む呼出要求受信情報を前記メッセージ送信サーバに送信する呼出要求送信ステップと、
前記ページング制御装置が、前記呼制御サーバから送信された前記呼出要求受信情報を受信する情報受信ステップと、
前記ページング制御装置が、前記受信した呼出要求受信情報に基づいて、前記着信側を呼び出して該着信側への着信を伝えるためのページングメッセージに、前記呼出要求受信情報に含まれるプリファレンス情報を含めて前記無線通信システムに送信するように制御する制御ステップと、
を有することを特徴とする通信方法。
【請求項１８】
複数の無線通信システムに接続することが可能な無線通信端末の無線通信方法であって、
前記複数の無線通信システムのうち、待ち受け中の無線通信システムから自端末を呼び出すページングメッセージであって自端末への着信を報知するページングメッセージを受信する受信ステップと、
前記受信したページングメッセージに含まれる発信側のプリファレンス情報に基づいて、前記複数の無線通信システムのうち、１つの無線通信システムを選択し、該選択した１つの無線通信システムに接続して、該接続した無線通信システムを介して呼制御サーバにログイン処理するように制御する制御ステップと、
を有することを特徴とする無線通信方法。
【請求項１９】
複数の異なる無線通信システムが利用可能な無線通信装置であって、
前記複数の異なる無線通信システムの各無線リンク情報を取得する取得部と、
自装置への呼び出しを検出する呼出検出部と、
該呼出検出部により自装置への呼び出しを検出すると、前記複数の無線通信システムから１つの無線通信システムを選択し、該選択した無線通信システムにより前記呼び出しに対応する着信を検出する着信検出部と、
前記着信に応答して前記呼び出しによるセッションが開始されると、当該セッション中に前記取得部により取得する前記選択した無線通信システムの無線リンク情報を前記セッションの相手へ通知する通知部と、
を具える無線通信装置。
【請求項２０】
請求項１９に記載の無線通信装置において、
前記セッションに用いている無線通信システムを他の異なる無線通信システムに切り替える切替部をさらに具え、
前記通知部が、前記切替部が前記セッションに用いている無線通信システムを、前記他の異なる無線通信システムに切り替える前に、前記他の異なる無線通信システムの無線リンク情報を前記セッションの相手に通知する、
ことを特徴とする無線通信装置。
【請求項２１】
請求項１９に記載の無線通信装置において、
前記セッションに用いている無線通信システムを他の異なる無線通信システムに切り替える切替部をさらに具え、
前記通知部が、前記切替部が前記セッションに用いている無線通信システムを、前記他の異なる無線通信システムに切り替える際、前記セッションの相手にその旨の情報を通知する、
ことを特徴とする無線通信装置。
【請求項２２】
相手先に発呼する発呼部と、
該発呼部による発呼または該発呼に基づく呼び出しに応じて、前記相手先が、利用可能な複数の異なる無線通信システムから１つの無線通信システムを選択し、該選択した無線通信システムを用いて前記相手とのセッションを開始すると、当該セッション中に、前記相手先が選択した無線通信システムの無線リンク情報を前記相手先から受信する受信部と、
を具える無線通信装置。
【請求項２３】
請求項２２に記載の無線通信装置において、
前記受信部により受信した無線リンク情報を報知する報知部、
をさらに具える無線通信装置。
【請求項２４】
請求項２２に記載の無線通信装置において、
前記セッションに用いている無線通信システムを他の異なる無線通信システムに切り替える旨の情報を前記受信部が受信すると、該切り替える旨の情報に基づき、前記セッションに用いているアプリケーションのパラメータを他のパラメータへ変更することを前記相手先に要求し、該変更要求に対する前記相手先からの肯定応答を前記受信部が受信すると、前記変更することを要求した他のパラメータに変更する変更部、
をさらに具えることを特徴とする無線通信装置。
【請求項２５】
請求項２２に記載の無線通信装置において、
前記受信部により受信されたデータを蓄積するバッファと、
前記セッションに用いている無線通信システムを他の異なる無線通信システムに切り替える旨の情報を前記受信部により受信した場合、該切り替える旨の情報に基づき、前記セッションに用いている前記バッファの容量を変更するように前記バッファを制御するバッファ制御部と、
をさらに具えることを特徴とする無線通信装置。
【請求項２６】
複数の異なる無線通信システムが利用可能な無線通信装置の制御方法であって、
前記複数の異なる無線通信システムの各無線リンク情報を取得する取得ステップと、
自装置への呼び出しを検出する呼出検出ステップと、
自装置への呼び出しを検出すると、前記複数の無線通信システムから１つの無線通信システムを選択し、該選択した無線通信システムにより前記呼び出しに対応する着信を検出する着信検出ステップと、
前記着信に応答して前記呼び出しによるセッションが開始されると、当該セッション中に前記取得ステップにより取得する前記選択した無線通信システムの無線リンク情報を前記セッションの相手へ通知する通知ステップと、
を有する無線通信装置の制御方法。
【請求項２７】
相手先に発呼する発呼ステップと、
該発呼ステップによる発呼または該発呼に基づく呼び出しに応じて、前記相手先が、利用可能な複数の異なる無線通信システムから１つの無線通信システムを選択し、該選択した無線通信システムを用いて前記相手とのセッションを開始すると、当該セッション中に、前記相手先が選択した無線通信システムの無線リンク情報を前記相手先から受信する受信ステップと、
を有する無線通信装置の制御方法。
【請求項２８】
請求項２７に記載の無線通信装置の制御方法において、
前記受信ステップにより受信した無線リンク情報を報知する報知ステップ、
をさらに有することを特徴とする無線通信装置の制御方法。
【発明の詳細な説明】
【技術分野】
【０００１】
本発明は、通信システム、無線通信端末、通信方法、無線通信方法、無線通信装置、およびその制御方法に関する。
【背景技術】
【０００２】
ＶｏＩＰ(Voice over Internet Protocol)を応用したインターネット電話などのリアルタイムアプリケーションにおいて接続要求などの呼制御を実現する通話制御プロトコルの１つとしてＳＩＰ(Session Initiation Protocol)という規格が定められている（例えば、非特許文献１を参照されたい。）。【０００３】
ＳＩＰは、当初はインターネット上の有線ネットワークで接続されているＰＣやサーバなどのコンピュータ間でのＶｏＩＰ通信のために利用されてきた。しかしながら、近年、無線通信機器においてもデジタル化およびＩＰ化が進み、ＳＩＰをサポートする無線通信事業者（オペレータ）のＳＩＰサーバおよび無線通信端末が開発されている。さらに、最近では無線通信技術の発展に伴って、１つの無線通信端末が、異なる無線通信ネットワークに接続可能な複数の無線通信デバイスを備えることが可能になってきた。典型的な構成は、ＰＤＡ、ＰＣ、或いは携帯電話機が、携帯電話ネットワークと接続する第１の無線通信デバイスと、ＷｉＦｉやＷｉＭＡＸなどの無線ＬＡＮやＭＡＮ(Metropolitan Area Network)のステーションと接続する第２の無線通信デバイスとを備えるものである。
【非特許文献１】ウェブサイト：http://www.ietf.org/rfc/rfc3261.txt(ＳＩＰを規定するＲＦＣ文書)
【発明の開示】
【発明が解決しようとする課題】
【０００４】
しかしながら、ＳＩＰ技術は、元々は有線通信ネットワークを対象とした技術であり、帯域や通信品質が時々刻々と変化する無線通信ネットワークは想定していなかった。さらに、ＳＩＰ技術は、複数の無線通信ネットワークに接続可能な無線通信装置などは対象としていなかった。即ち、インターネット上の有線通信ネットワークにおけるＳＩＰ技術の開発は進んでいるが、異種の無線通信ネットワークが複数あり、このような複数の異種無線ネットワークに跨る通信環境を前提としたＳＩＰ技術の開発は遅れている。【０００５】
図２に、従来技術による無線通信ネットワーク構成図を示す。図に示すように、サーバやゲートウェイとしては、ＤＮＳサーバ１０、ＳＩＰサーバ２０、ＳＩＰサーバ３０、ゲートウェイ(GW)４０、ＳＭＳサーバ５０、ＳＩＰサーバ（或いはGW）６０、ＳＩＰサーバ（或いはGW）７０がある。発信側および着信側の通信端末やソフトホンとしては、無線通信端末ＵＡ１，ＵＡ２、通信端末（ソフトホン）ＵＡ３がある。これらの各端末は、上述した各サーバと、インターネットＮＥＴ１、オペレータパケットネットワークＮＥＴ２、オペレータ回線交換ネットワークＮＥＴ３、オペレータ無線通信パケットネットワークＲＮＥＴ１，ＲＮＥＴ２を介して接続している。【０００６】
また、図１５に、従来技術による別の無線通信ネットワーク構成図を示す。図１５の無線通信ネットワーク構成では、図１４の構成に加えて、基地局制御装置８０および基地局９０があるが、他の構成は図１４のそれと同様である。【０００７】
例えば、上述した従来技術では、図示したような無線通信ネットワーク構成において、無線通信端末ＵＡ１のＳＩＰ接続要求（発呼;Invite）に応じて、オペレータ無線通信パケットネットワークＲＮＥＴ１に対応する回線交換ネットワークのＳＭＳサーバ５０によるＳＭＳ（ショートメッセージサービス）メッセージによって無線通信端末ＵＡ２が呼び出される（パケットネットワークへの接続と登録動作の指示）場合、無線通信端末ＵＡ２は、呼び出された回線交換ネットワークに対応する（同じ通信事業者が提供する）無線通信ネットワークのパケット交換ネットワーク（この場合はＲＮＥＴ１）を介してＳＩＰサーバ３０に対して、ＳＩＰ(Session Initiation Protocol)の登録動作(Register)を行い、以後ＳＩＰの手続きにより通話を成立させる。このような方法は、１つのオペレータ無線通信パケットネットワークとそれに対応する回線交換ネットワークしか利用できない無線通信端末を前提としたものある。一方、無線通信端末ＵＡ２が、２つのオペレータ無線通信パケットネットワークＲＮＥＴ１，ＲＮＥＴ２に接続する機能を持ち、２つの選択肢がある場合、従来技術のＳＩＰ（即ち、ＳＩＰを実装する無線通信端末ＵＡ２）では、上述したように、接続要求（パケットネットワークへの接続と登録動作の指示）を含むメッセージが通過した経路に対応するネットワーク（この例ではオペレータ無線通信パケットネットワークＲＮＥＴ１）を経由してＳＩＰの登録を行い、このパケットネットワーク経路を使って発呼側／発信側(Caller Party)とセッションを取ることになる。このようなセッション確立方式では、発呼側ユーザ(Caller Party)が使用を所望するアプリケーションに応じた帯域、或いは、発呼側ユーザの希望する課金などに関する希望や好み、即ち、プリファレンスが必ずしも反映されているとは言えない。即ち、接続要求を行ったユーザ(Caller Party)のプリファレンスが全く考慮されていない、さらには、着呼側／着信側(Called Party)の無線通信端末としては、接続可能な複数の無線通信経路を有効に利用できていないなどの問題がある。【０００８】
しかし、２つのオペレータ無線通信パケットネットワークＲＮＥＴ１，ＲＮＥＴ２に接続する機能を持ち、回線交換ネットワークに対応しない、もしくは、パケットネットワークでも待ち受けできる場合、パケットネットワークからの呼出要求だけでは、発呼側ユーザ(Caller Party)が使用を所望するアプリケーションに応じた帯域、或いは、発呼側ユーザの希望する課金などに関する希望や好み、即ち、プリファレンスが必ずしも反映されているとは言えない。即ち、接続要求を行ったユーザ(Caller Party)のプリファレンスが全く考慮されていない、さらには、着呼側／着信側(Called Party)の無線通信端末としては、接続可能な複数の無線通信経路を有効に利用できていないなどの問題がある。【０００９】
上述したように、図２のシステムで実施される方法は、回線交換ネットワークに対応した無線通信端末を前提としたものある。しかしながら、発呼側ユーザ(Calling Party)は、着呼側(Called Party)が、属性の異なる複数の無線通信ネットワークからある無線通信ネットワークを選択して通信を開始した後、その着呼側が選択した無線通信ネットワークがどの無線通信ネットワークであり、どのような属性を持ち、現在の属性の状況（帯域の状況、変調方式、バッテリ容量、無線リンクなどの状況）を発呼側ユーザは把握できないという問題があった。さらに、通話中に相手側が無線通信ネットワークを切り替えることを着呼側では全く把握することができず、例えば、着信側の端末が無線ゾーンのエリアフリンジに移動して通信品質が劣化した場合などには、突然、相手側サイトにおける切り替え（ハンドオーバ）に伴うパケットロスなどの通信品質の劣化を被るなどの問題があった。【００１０】
そこで、本発明の目的は、着信側の無線通信端末が複数の無線通信デバイス／経路（ネットワーク）を選択肢として持つ場合に、発信側のプリファレンス（帯域や通信料金などの希望）に応じた最適な無線通信デバイス／経路（ネットワーク）を選択して、当該無線通信デバイス／経路（ネットワーク）を用いたセッションを発信側と着信側との間で最初から確立させる技法（装置、システム、方法）を提供することである。【００１１】
また、本発明のさらなる目的は、着信側の無線通信端末が複数の無線通信システム（即ち、無線通信デバイス、無線通信経路、無線通信ネットワークなど）を選択肢として持つ場合に、着信側において選択された無線通信システムの無線リンク情報を発信側に伝達する技法（装置、方法）を提供することである。
【課題を解決するための手段】
【００１２】
上述した諸課題を解決すべく、本発明による通信システムは、
パケットで通信（音声通話、テレビ電話、チャットなど）するための呼制御サーバと、メッセージ送信サーバとを備えた通信システムであって、
前記呼制御サーバ（ＳＩＰサーバ）が、
発信側（Caller;発呼側の無線／有線の通信端末）のプリファレンス情報を含み、着信側（Called Party;着呼側の無線通信端末）を呼び出すための呼出要求(Inviteメッセージ)を受信する呼出要求受信部と、
前記受信した呼出要求を前記着呼側に伝えるために、前記呼出要求を受信したことを示す情報と、前記呼出要求に含まれるプリファレンス情報とを含む呼出要求受信情報(Infoメッセージ)を前記メッセージ送信サーバに送信する呼出要求送信部と、を備え、
前記メッセージ送信サーバ（ＳＭＳサーバ）が、
前記呼制御サーバから送信された前記呼出要求受信情報を受信する情報受信部と、
前記受信した呼出要求受信情報に基づいて、前記パケットで通信（例えば、着信側の端末に設けられた通信を処理するＳＩＰ通信アプリケーションやＳＩＰ通信ユニットなど）するための呼制御サーバへのログイン処理を起動させる起動メッセージ（ＳＭＳメッセージ）に、前記呼出要求受信情報に含まれるプリファレンス情報を含めて前記着信側に送信する起動メッセージ送信部と、を備える、
ことを特徴とする。【００１３】
また、本発明の一実施態様による通信システムは、
前記プリファレンス情報（選択基準）が、
前記通信で使用する通信回線の帯域に関連する帯域関連情報（帯域優先など）と、前記通信にかかる課金に関連する課金関連情報（課金優先など）とのうち少なくとも一方を含む、ことを特徴とする。【００１４】
また、本発明の別の実施態様による通信システムは、
前記通信システムが、
複数の無線通信システムに接続することが可能な、前記着信側としての無線通信端末をさらに備え、
前記無線通信端末が、
前記メッセージ送信サーバから送信された、前記プリファレンス情報を含む起動メッセージ（ＳＭＳメッセージ）を受信する受信部と、
前記受信した起動メッセージに含まれる前記発信側のプリファレンス情報に基づいて、前記複数の無線通信システムのうち、１つの無線通信システムを選択し、該選択した１つの無線通信システムに接続して、該接続した無線通信システムを介して前記呼制御サーバにログイン処理するように制御する制御部と、を備える、
ことを特徴とする。【００１５】
また、本発明の別の実施態様による無線通信端末は、
複数の無線通信システムに接続することが可能な無線通信端末であって、
発信側（Caller;発呼側の無線／有線の通信端末）のプリファレンス情報を含み、パケットで通信するための呼制御サーバへのログイン処理を起動させるための起動メッセージをメッセージ送信サーバから受信する受信部と、
前記受信した起動メッセージに含まれる前記発信側のプリファレンス情報に基づいて、前記複数の無線通信システムのうち、１つの無線通信システムを選択し、該選択した１つの無線通信システムに接続して、該接続した無線通信システムを介して前記呼制御サーバにログイン処理するように制御する制御部と、
を備えることを特徴とする。【００１６】
また、本発明の別の実施態様による無線通信端末は、
前記プリファレンス情報（選択基準）が、
前記通信で使用する通信回線の帯域に関連する帯域関連情報（帯域優先など）と、前記通信にかかる課金に関連する課金関連情報（課金優先など）とのうち少なくとも一方を含む、ことを特徴とする。【００１７】
また、本発明の別の実施態様による無線通信端末は、
前記接続した無線通信システムとの無線通信における電波状態を示す電波状態情報を前記発信側に送信する送信部、をさらに備えることを特徴とする。【００１８】
また、本発明の別の実施態様による無線通信端末は、
前記受信部が、前記着信側から送信された、該着信側が接続している無線通信システムの無線通信における電波状態を示す電波状態情報を受信し、
前記無線通信端末が、
前記受信した電波状態情報を表示する表示部をさらに備える、
ことを特徴とする。【００１９】
上述したように本発明の解決手段をシステムおよび端末（装置）として説明してきたが、本発明はこれらに実質的に相当する方法、プログラム、プログラムを記録した記憶媒体としても実現し得るものであり、本発明の範囲にはこれらも包含されるものと理解されたい。【００２０】
例えば、本発明を方法として規定した、本発明の他の態様による通信方法は、
パケットで通信するための呼制御サーバ（ＳＩＰサーバ）と、メッセージ送信サーバ（ＳＭＳサーバ）とを用いた通信方法であって、
前記呼制御サーバ（ＳＩＰサーバ）が、
発信側（Caller;発呼側の無線／有線の通信端末）のプリファレンス情報を含み、着信側（Called Party;着呼側の無線通信端末）を呼び出すための呼出要求(Inviteメッセージ)を受信する呼出要求受信ステップと、
前記呼制御サーバが、前記受信した呼出要求を前記着信側に伝えるために、前記呼出要求を受信したことを示す情報と、前記呼出要求に含まれるプリファレンス情報とを含む呼出要求受信情報(Infoメッセージ)を前記メッセージ送信サーバに送信する呼出要求送信ステップと、
前記メッセージ送信サーバ（ＳＭＳサーバ）が、
前記呼制御サーバから送信された前記呼出要求受信情報を受信する情報受信ステップと、
前記受信した呼出要求受信情報に基づいて、
前記パケットで通信（例えば、着信側の端末に設けられた通信を処理するＳＩＰ通信アプリケーションやＳＩＰ通信ユニットなど）するための呼制御サーバへのログイン処理を起動させる起動メッセージ（ＳＭＳメッセージ）に、前記呼出要求受信情報に含まれるプリファレンス情報を含めて前記着信側に送信する起動メッセージ送信ステップと、
を有することを特徴とする。【００２１】
また、本発明の一実施態様による無線通信方法は、
複数の無線通信システムに接続することが可能な無線通信端末の無線通信方法であって、
発信側のプリファレンス情報を含み、パケットで通信するための呼制御サーバへのログイン処理を起動させるための起動メッセージをメッセージ送信サーバから受信する受信ステップと、
演算部（ＣＰＵ，ＤＳＰなどのプロセッサ）を用いて、前記受信した起動メッセージに含まれる前記発信側のプリファレンス情報に基づいて、前記複数の無線通信システムのうち、１つの無線通信システムを選択し、該選択した１つの無線通信システムに接続して、該接続した無線通信システムを介して前記呼制御サーバにログイン処理するように制御する制御ステップと、
を有することを特徴とする。【００２２】
上述したように本発明をメッセージ送信サーバ（ＳＭＳサーバ）を利用する態様で説明してきたが、本発明は、ページング制御装置（基地局、基地局制御装置、ＳＩＰサーバなど）を利用する態様でも実現し得るものであり、本発明の範囲にはこれらも包含されるものと理解されたい。【００２３】
本発明の一実施態様による通信システムは、
パケットで通信（音声通話、テレビ電話、チャットなど）するための呼制御サーバと、無線通信システムに対して送信されるページングメッセージを処理するためのページング制御装置とを備えた通信システムであって、
前記呼制御サーバ（ＳＩＰサーバ）が、
発信側（Caller;発呼側の無線／有線の通信端末）のプリファレンス情報を含み、着信側（Callee;着呼側の無線通信端末）を呼び出すための呼出要求(Inviteメッセージ)を受信する呼出要求受信部と、
前記受信した呼出要求を前記着信側に伝えるために、前記呼出要求を受信したことを示す情報と、前記呼出要求に含まれるプリファレンス情報とを含む呼出要求受信情報(Infoメッセージ)を前記メッセージ送信サーバに送信する呼出要求送信部と、を備え、
前記ページング制御装置（基地局、基地局制御装置、ＳＩＰサーバなど）が、
前記呼制御サーバから送信された前記呼出要求受信情報を受信する情報受信部と、
前記受信した呼出要求受信情報に基づいて、前記着信側を呼び出して該着信側への着信を伝えるためのページングメッセージに、前記呼出要求受信情報に含まれるプリファレンス情報を含めて前記無線通信システムに送信するように制御するページングメッセージ送信制御部と、を備える、
ことを特徴とする。【００２４】
また、本発明の別の実施態様による通信システムは、
前記プリファレンス情報（選択基準）が、
前記通信で使用する通信回線の帯域に関連する帯域関連情報（帯域優先など）と、前記通信にかかる課金に関連する課金関連情報（課金優先など）とのうち少なくとも一方を含む、ことを特徴とする。【００２５】
また、本発明の別の実施態様による通信システムは、
前記通信システムが、
複数の無線通信システムに接続することが可能な、前記着信側としての無線通信端末をさらに備え、
前記無線通信端末が、
前記ページング制御装置から送信された、前記プリファレンス情報を含むページングメッセージを受信する受信部と、
前記受信したページングメッセージに含まれる前記発信側のプリファレンス情報に基づいて、前記複数の無線通信システムのうち、１つの無線通信システムを選択し、該選択した１つの無線通信システムに接続して、該接続した無線通信システムを介して前記呼制御サーバにログイン処理するように制御する制御部と、を備える、
ことを特徴とする。【００２６】
また、本発明の別の実施態様による無線通信端末は、
複数の無線通信システムに接続することが可能な無線通信端末であって、
前記複数の無線通信システムのうち、待ち受け中の無線通信システムから自端末を呼び出すページングメッセージであって自端末への着信を報知するページングメッセージを受信する受信部と、
前記受信したページングメッセージに含まれる発信側のプリファレンス情報に基づいて、前記複数の無線通信システムのうち、１つの無線通信システムを選択し、該選択した１つの無線通信システムに接続して、該接続した無線通信システムを介して前記呼制御サーバにログイン処理するように制御する制御部と、
を備えることを特徴とする。【００２７】
また、本発明の別の実施態様による無線通信端末は、
前記プリファレンス情報（選択基準）が、
前記通信で使用する通信回線の帯域に関連する帯域関連情報（帯域優先など）と、前記通信にかかる課金に関連する課金関連情報（課金優先など）とのうち少なくとも一方を含む、ことを特徴とする。【００２８】
また、本発明の別の実施態様による無線通信端末は、
前記接続した無線通信システムとの無線通信における電波状態を示す電波状態情報を前記発信側に送信する送信部、
をさらに備えることを特徴とする。【００２９】
また、本発明の別の実施態様による無線通信端末は、
前記受信部が、相手側から送信された、該相手側が接続している無線通信システムの無線通信における電波状態を示す電波状態情報を受信し、
前記無線通信端末が、
前記受信した電波状態情報を表示する表示部をさらに備える、
ことを特徴とする。【００３０】
上述した実施態様も、これらに実質的に相当する方法、プログラム、プログラムを記録した記憶媒体としても実現し得るものであり、本発明の範囲にはこれらも包含されるものと理解されたい。【００３１】
例えば、本発明を方法として実現させた本発明の別の態様による通信方法は、
パケットで通信（音声通話、テレビ電話、チャットなど）するための呼制御サーバと、無線通信システムに対して送信されるページングメッセージを処理するためのページング制御装置とを用いた通信方法であって、
前記呼制御サーバが、発信側のプリファレンス情報を含み、着信側を呼び出すための呼出要求(Inviteメッセージ)を受信する呼出要求受信ステップと、
前記呼制御サーバが、前記受信した呼出要求を前記着信側に伝えるために、前記呼出要求を受信したことを示す情報と、前記呼出要求に含まれるプリファレンス情報とを含む呼出要求受信情報(Infoメッセージ)を前記メッセージ送信サーバに送信する呼出要求送信ステップと、
前記ページング制御装置が、前記呼制御サーバから送信された前記呼出要求受信情報を受信する情報受信部と、
前記ページング制御装置が、前記受信した呼出要求受信情報に基づいて、前記着信側を呼び出して該着信側への着信を伝えるためのページングメッセージに、前記呼出要求受信情報に含まれるプリファレンス情報を含めて前記無線通信システムに送信するように制御する制御ステップと、
を有することを特徴とする。【００３２】
また、本発明の一実施態様による無線通信方法は、
複数の無線通信システムに接続することが可能な無線通信端末の無線通信方法であって、
前記複数の無線通信システムのうち、待ち受け中の無線通信システムから自端末を呼び出すページングメッセージであって自端末への着信を報知するページングメッセージを受信する受信ステップと、
演算部（ＣＰＵ，ＤＳＰなどのプロセッサ）を用いて、前記受信したページングメッセージに含まれる発信側のプリファレンス情報に基づいて、前記複数の無線通信システムのうち、１つの無線通信システムを選択し、該選択した１つの無線通信システムに接続して、該接続した無線通信システムを介して呼制御サーバにログイン処理するように制御する制御ステップと、
を有することを特徴とする。【００３３】
また、本発明は以下のように、着信側の無線通信端末が複数の無線通信システム（即ち、無線通信デバイス、無線通信経路、無線通信ネットワークなど）を選択肢として持つ場合に、着信側において選択された無線通信システムの無線リンク情報を発信側に伝達する実施態様として実現することもできる。【００３４】
本発明の一実施態様による無線通信装置（着呼側:Called Party）は、
複数の異なる無線通信システムが利用可能な無線通信装置であって、
前記複数の異なる無線通信システムの各無線リンク情報（Ｌ２情報など）を取得する取得部と、
自装置への呼び出し（ＳＭＳやページングなどによる呼び出し）を検出する呼出検出部と、
該呼出検出部により自装置への呼び出しを検出すると、前記複数の無線通信システムから１つの無線通信システムを選択し、該選択した無線通信システムにより前記呼び出しに対応する着信を検出する着信検出部（例えばＳＩＰサーバにログインした後、ＩＮＶＩＴＥを受け取ることを検出する部）と、
前記着信に応答して前記呼び出しによるセッション（例えば、ＳＩＰセッションによる通話）が開始されると、当該セッション中に前記取得部により取得する前記選択した無線通信システムの無線リンク情報を前記セッションの相手（例えばＳＩＰ端末）へ通知する通知部と、
を具える。【００３５】
また、本発明の別の実施態様による無線通信装置は、
前記セッションに用いている無線通信システムを他の異なる無線通信システムに切り替える切替部をさらに具え、
前記通知部が、前記切替部が前記セッションに用いている無線通信システムを、前記他の異なる無線通信システムに切り替える前に、前記他の異なる無線通信システムの無線リンク情報を前記セッションの相手に通知する、
ことを特徴とする。【００３６】
また本発明の別の実施態様による無線通信装置は、
前記セッションに用いている無線通信システムを他の異なる無線通信システムに切り替える切替部をさらに具え、
前記通知部が、前記切替部が前記セッションに用いている無線通信システムを、前記他の異なる無線通信システムに切り替える際、前記セッションの相手にその旨の情報（切替関連情報、例えば、切替先の帯域や平均遅延時間、切替所要時間、課金情報など）を通知する、
ことを特徴とする。【００３７】
また、本発明の別の実施態様による無線通信装置（発呼側:Calling Party）は、
相手先(通信相手の局／端末：Called Party)に発呼する発呼部と、
該発呼部による発呼（ＳＩＰのＩＮＶＩＴＥなど）または該発呼に基づく呼び出し（ＳＭＳサーバやＳＩＰサーバにより送信されたＳＭＳやページングなど）に応じて、前記相手先が、利用可能な複数の異なる無線通信システムから１つの無線通信システムを選択し、該選択した無線通信システムを用いて前記相手とのセッションを開始すると、当該セッション中に、前記相手先が選択した無線通信システムの無線リンク情報を前記相手先から受信する受信部と、
を具える。【００３８】
また、本発明の別の実施態様による無線通信装置は、
前記受信部により受信した無線リンク情報を報知する報知部、
をさらに具えることを特徴とする。【００３９】
また、本発明の別の実施態様による無線通信装置は、
前記セッションに用いている無線通信システムを他の異なる無線通信システムに切り替える旨の情報を前記受信部が受信すると、該切り替える旨の情報に基づき、前記セッションに用いているアプリケーションのパラメータを他のパラメータへ変更することを前記相手先に要求し、該変更要求に対する前記相手先からの肯定応答を前記受信部が受信すると、前記変更することを要求した他のパラメータに変更する変更部、
をさらに具えることを特徴とする。【００４０】
また、本発明の別の実施態様による無線通信装置は、
前記受信部により受信されたデータ（パケット）を蓄積するバッファと、
前記セッションに用いている無線通信システムを他の異なる無線通信システムに切り替える旨の情報を前記受信部により受信した場合、該切り替える旨の情報に基づき、前記セッションに用いている前記バッファの容量を変更するように前記バッファを制御するバッファ制御部と、
をさらに具えることを特徴とする。【００４１】
上述した実施態様も、これらに実質的に相当する方法、プログラム、プログラムを記録した記憶媒体としても実現し得るものであり、本発明の範囲にはこれらも包含されるものと理解されたい。【００４２】
例えば、本発明を方法として実現させた本発明の別の態様による無線通信装置の制御方法は、
複数の異なる無線通信システムが利用可能な無線通信装置の制御方法であって、
前記複数の異なる無線通信システムの各無線リンク情報（Ｌ２情報など）を（受信部を用いて）取得する取得ステップと、
自装置への呼び出し（ＳＭＳやページングなどによる呼び出し）を検出する呼出検出ステップと、
自装置への呼び出しを検出すると、前記複数の無線通信システムから１つの無線通信システムを選択し、該選択した無線通信システムにより前記呼び出しに対応する着信を検出する着信検出ステップ（例えばＳＩＰサーバにログインした後、ＩＮＶＩＴＥを受け取ることを検出するステップ）と、
前記着信に応答して前記呼び出しによるセッション（例えば、ＳＩＰセッションによる通話）が開始されると、当該セッション中に前記取得ステップにより取得する前記選択した無線通信システムの無線リンク情報を前記セッションの相手（例えばＳＩＰ端末）へ（送信部を用いて）通知する通知ステップと、
を有する。【００４３】
また、本発明の別の実施態様による無線通信装置の制御方法は、
相手先(通信相手の局／端末：Called Party)に（送信部を用いて）発呼する発呼ステップと、
該発呼ステップによる発呼（ＳＩＰのＩＮＶＩＴＥなど）または該発呼に基づく呼び出し（ＳＭＳサーバやＳＩＰサーバにより送信されたＳＭＳやページングなど）に応じて、前記相手先が、利用可能な複数の異なる無線通信システムから１つの無線通信システムを選択し、該選択した無線通信システムを用いて前記相手とのセッションを開始すると、当該セッション中に、前記相手先が選択した無線通信システムの無線リンク情報を（受信部を用いて）前記相手先から受信する受信ステップと、
を有する。【００４４】
また、本発明の別の実施態様による無線通信装置の制御方法は、
前記受信ステップにより受信した無線リンク情報を（報知部（表示部、音声出力部などを用いて）報知する報知ステップ、
をさらに有することを特徴とする。【００４５】
本発明によれば、インターネット上の（有線）マルチメディア端末或いは無線通信端末から、複数の無線通信デバイスを備えた、いわゆるマルチモード端末に発信する場合、発信ユーザの使用するアプリケーションに必要な帯域或いは課金に関するプリファレンスに最適な無線通信ネットワークを着信側（ユーザ）で最初から選択して、通話が成立する。例えば、発信側ユーザがＩＰテレビ電話などの大きな帯域を必要とするアプリケーションで着信側ユーザと通信を行ないたい場合、そのアプリケーションに必要な帯域を着信ユーザに呼び出し段階で伝えることができるので、アプリケーションに不向きな他の無線通信ネットワークを一度も使うことなく、最初から、当該アプリケーションに最適な無線通信ネットワークを選択して通話を開始することができる。また、もし発信側ユーザが課金が安いことを一番重要視するのであれば、その旨を同じく着信側ユーザにプリファレンス情報として呼び出し段階で伝えることができるので、最も課金が安い無線通信ネットワークを最初から選択して通話を開始することができる。【００４６】
また、本発明によれば、着信側の無線通信端末が複数の無線通信システム（無線通信デバイス／経路／ネットワーク）を選択肢として持つ場合に、着信側において選択された無線通信システムの無線リンク情報を発信側に伝達することが可能となる。この無線リンク情報の伝達によって、発信側はどの無線通信システム（ネットワークなど）が選択されたのか、選択された無線通信システム（ネットワーク）がどのような属性を持つものか、さらには、無線リンクがどのような状況であるのかを把握することが可能となる。これにより、通信に支障がある場合、その原因が相手側ネットワークの問題であるのか否かなどの問題判別を迅速に進めることが可能となる。また、無線リンク情報を受信した側（発信側）では、相手側の無線通信ネットワークが原因となる通信品質の劣化などの原因を容易に知ることが可能となる。
【図面の簡単な説明】
【００４７】
【図１】本発明の一実施態様による無線通信ネットワーク構成図である。
【図２】従来技術による無線通信ネットワーク構成図である。
【図３】同じオペレータ（無線通信事業者）に契約している無線通信端末で通信する場合のシーケンス図である。
【図４】互いに異なるＩＳＰ(Internet Service Provider)と契約している端末で通信する場合のシーケンス図である。
【図５】同じオペレータ（無線通信事業者）に契約している無線通信端末で通信する場合のシーケンス図である。
【図６】互いに異なるＩＳＰ(Internet Service Provider)と契約している端末で通信する場合のシーケンス図である。
【図７】ＳＩＰサーバ（呼制御サーバ）の機能ブロック図である。
【図８】ＳＭＳサーバ（メッセージ送信サーバ）の機能ブロック図である。
【図９】無線通信端末の機能ブロック図である。
【図１０】本発明の一実施態様による無線通信端末、通信端末、ＳＩＰサーバなどの通信装置がサポートする拡張されたＳＩＰのＩＮＶＩＴＥメッセージフォーマットの一例を示す図である。
【図１１】本発明の一実施態様による無線通信端末、通信端末、ＳＩＰサーバなどの通信装置がサポートする拡張されたＳＩＰのＩＮＦＯメッセージフォーマットの一例を示す図である。
【図１２】発信側(Caller Party)の通信端末の表示画面の一例を示す図である。
【図１３】発信側(Caller Party)の通信端末の表示画面の一例を示す図である。
【図１４】本発明の一実施態様による無線通信ネットワーク構成図である。
【図１５】従来技術による無線通信ネットワーク構成図である。
【図１６】同じオペレータ（無線通信事業者）に契約している無線通信端末で通信する場合のシーケンス図である。
【図１７】互いに異なるＩＳＰ(Internet Service Provider)と契約している端末で通信する場合のシーケンス図である。
【図１８】同じオペレータ（無線通信事業者）に契約している無線通信端末で通信する場合のシーケンス図である。
【図１９】互いに異なるＩＳＰ(Internet Service Provider)と契約している端末で通信する場合のシーケンス図である。
【図２０】ＳＩＰサーバ（ページング制御装置）の機能ブロック図である。
【図２１】本発明の一実施態様による無線通信ネットワーク構成図である。
【図２２】同じオペレータ（無線通信事業者）に契約している無線通信端末で通信する場合のシーケンス図である。
【図２３】互いに異なるＩＳＰ(Internet Service Provider)と契約している端末で通信する場合のシーケンス図である。
【図２４】同じオペレータ（無線通信事業者）に契約している無線通信端末で通信する場合のシーケンス図である。
【図２５】互いに異なるＩＳＰ(Internet Service Provider)と契約している端末で通信する場合のシーケンス図である。
【図２６】無線通信端末ＵＡ２００が、無線通信ネットワークＲＮＥＴ１、ＲＮＥＴ２の両者とリンクを持つときの内部処理シーケンス図である。
【図２７】無線通信端末の機能ブロック図である。
【図２８】本発明による無線通信端末、通信端末、ＳＩＰサーバなどの通信装置がサポートする拡張されたＳＩＰのＩＮＶＩＴＥメッセージフォーマットの一例を示す図である。
【図２９】本発明による無線通信端末、通信端末、ＳＩＰサーバなどの通信装置がサポートする拡張されたＳＩＰのＩＮＦＯメッセージフォーマットの一例を示す図である。
【図３０】ハンドオーバに伴うアプリケーションに関するポリシー選択を促す通信端末の表示画面の一例を示す図である。
【図３１】本発明の一実施態様による無線通信ネットワーク構成図である。
【図３２】同じオペレータ（無線通信事業者）に契約している無線通信端末で通信する場合のシーケンス図である。
【図３３】互いに異なるＩＳＰ(Internet Service Provider)と契約している端末で通信する場合のシーケンス図である。
【発明を実施するための最良の形態】
【００４８】
本発明の原理・構成を詳細に説明する前に、本発明の一実施態様による典型的な処理シーケンスを簡単に説明する。
(1)．複数の無線通信ネットワークデバイスを備えた無線通信端末において、リアルタイムアプリケーションの着信があった場合、発信側の端末からＳＩＰで通知されたアプリケーションに必要な所要帯域を考慮して、最適な無線通信ネットワークを選択し、登録（REGISTRATION）動作を行い、以後、必要なＳＩＰの手順を経て通信状態に至る。
(2)．上記で着信側の無線通信端末は、回線交換ネットワークとパケット交換ネットワークに接続することができ、通常の待ち受け動作は回線交換ネットワーク上で行い、複数のパケット交換網に接続する無線通信デバイスはドーマント状態または未接続状態にすることで、徒なバッテリーの消耗を未然に防ぐ。【００４９】
(3)．処理(1)におけるリアルタイムアプリケーションに必要な帯域は、ＳＩＰのＳＤＰで記述されており、待ち受けの無線通信端末には、ＳＭＳ(Short Message Service)の中に所要帯域を記述して、無線通信端末を呼び出す（パケットネットワークへの接続やＳＩＰへのRegistrationを促す）と同時に発信側で望むアプリケーションの帯域を通知する。
(4)．処理(3)において必要帯域を通知された着信側端末で、帯域条件を満足する無線通信ネットワークが複数ある場合は、その中で一番通信料が安い、もしくは着信側端末に設定された優先順位に基づいて無線通信ネットワークを選択する。【００５０】
(5)．処理(1)において、発信側の端末はＳＩＰの拡張機能を用いて、着信側の無線通信端末で実現して欲しい帯域を優先するか、それとも課金が安くなることを優先するかと言った着信側での無線通信ネットワークに選択に関するプリファレンスを、着信側の無線通信端末に通知する。
(6)．処理(5)の発信側のプリファレンスは、ＳＭＳサーバから着信側の無線通信端末に送信されるＳＭＳの中に記述されており、着信側の無線通信端末はＳＭＳで呼び出されると同時に発信側のプリファレンスを通知される。【００５１】
(7)．処理(6)において通知された着信側無線通信端末は、プリファレンスに応じて最適な無線通信ネットワークを選択しＳＩＰサーバへの登録動作を行う。以後、必要なＳＩＰの手順を経て通信状態に至る。
(8)．発信側の端末では、発信側ユーザが選択するアプリケーションに最適な帯域を着信側で実現することを優先するのか、それとも課金が一番安くなることを優先するのかと言ったいわゆるポリシーを、選択できるユーザインターフェイスを備えている。ユーザインターフェイスとしては、ディスプレイ上でソフトウェアキーで選択できるようにしても良いし、また、予めハードウェアキーで選択するようにすることもできる。本構成を取る理由は、一般的には着信側(Called Party)の無線通信ネットワークの使用料は発信側(Caller Party)が負担するからである。【００５２】
(9)．着信側無線通信端末では、発信側端末に対して、要求されたプリファレンスに対する応答を"INFO"にて新規ヘッダーと新規パラメータを用いて（拡張機能）で伝える。応答としては、選択した無線通信ネットワーク名とその電波状態を発信側通信端末に伝える。
(10)．処理(8)において、発信側端末では、着信側無線通信端末で選択された無線通信ネットワークと無線状態をディスプレイに表示する（図１３）。
(11)．発信側の端末（UAC;User Agent Client）は、着信側の無線通信端末(UAS;User Agent Server)がリアルタイムアプリケーションに必要な帯域を実現することを優先するのか、それとも課金が一番安くなることを優先するのかと言ったいわゆるポリシーのネゴシエーションを、着信側のオペレータの呼制御サーバと行い決定する。UASでは予め、希望するポリシー（利用できる無線通信ネットワークと平均帯域）を呼制御サーバに登録しておく。【００５３】
また、同じオペレータの無線通信端末同士の通話だけでなく、他のオペレータの無線通信端末やインターネット上のマルチメディア端末から、予め希望したプリファレンスに最適な無線通信ネットワークを、着信側ユーザで選択して通話が開始できる。【００５４】
以降、諸図面を参照しながら、本発明の実施態様を詳細に説明する。【００５５】
＜実施の形態１＞
図１に、本発明の一実施態様による無線通信ネットワーク構成図を示す。図に示すように、サーバやゲートウェイとしては、ＤＮＳサーバ１０、ＳＩＰサーバ２００、ＳＩＰサーバ３００、ゲートウェイ(GW)４０、ＳＭＳサーバ５００、ＳＩＰサーバ（或いはGW）６０、ＳＩＰサーバ（或いはGW）７０がある。ＳＩＰサーバ２００、３００は、本発明による呼制御サーバとしての機能し、ＳＭＳサーバ５００は、本発明によるメッセージ送信サーバとして機能する。発信側および着信側の通信端末やソフトホンとしては、無線通信端末ＵＡ(User Agent)１０，ＵＡ２０、通信端末（ソフトホン）ＵＡ３０がある。これらの各端末は、上述した各サーバやＧＷと、インターネットＮＥＴ１、オペレータパケットネットワークＮＥＴ２、オペレータ回線交換ネットワークＮＥＴ３、オペレータ無線通信パケットネットワークＲＮＥＴ１，ＲＮＥＴ２を介して接続している。【００５６】
無線通信端末ＵＡ１０は、オペレータ無線通信パケットネットワークＲＮＥＴ２に接続しており、一方、無線通信端末ＵＡ２０は、オペレータ無線通信パケットネットワークＲＮＥＴ２に接続可能である。オペレータ無線通信パケットネットワークＲＮＥＴ２は、オペレータ無線通信パケットネットワークＲＮＥＴ１に比べてよりブロードバンドなネットワークである。無線通信端末ＵＡ２０は、複数の無線通信ネットワークに接続することができるいわゆるマルチモード端末である。ここでは簡単のために、オペレータ無線通信パケットネットワークＲＮＥＴ１と、オペレータ無線通信パケットネットワークＲＮＥＴ２に接続できるものとする。無線通信端末ＵＡ２０がオペレータ無線通信パケットネットワークＲＮＥＴ１に対応する回線交換ネットワークで待ち受けしている時は、オペレータ無線通信パケットネットワークＲＮＥＴ１のパケット交換網とオペレータ無線通信パケットネットワークＲＮＥＴ２のパケット交換網に対しては接続しておらず、未接続の状態である。【００５７】
ここで、無線通信端末ＵＡ１０が発信／発呼側(Caller Party)として、リアルタイムアプリケーションサービスの呼出を、着信／着呼側としての無線通信端末ＵＡ２０にする場合、リアルタイムアプリケーションを無線通信端末ＵＡ２０で実行する上でのプリファレンスを、ＳＩＰのＩＮＶＩＴＥ（接続開始要求）メッセージに格納して無線通信端末ＵＡ２０に伝える。プリファレンスとしては、以下のものがある。
・帯域優先：アプリケーションを実行する上での必要帯域を無線通信端末ＵＡ２０で確保することを優先する。
・料金優先：帯域より、無線通信端末ＵＡ１０に課される料金が一番安くなることを優先する。【００５８】
このプリファレンスを無線通信端末ＵＡ２０に伝える方法として、以下の２種類がある。第１の方法は、ＳＩＰで無線通信端末ＵＡ２０で複数の無線通信ネットワークから１つの無線通信ネッワークを選択して接続する上でのプリファレンス（選択基準）を伝えるために、ＳＩＰに新しくヘッダーとパラメータを定義する方法である。第２の方法は、ＩＮＶＩＴＥのＳＤＰ(Session Description Protocol)でアプリケーションに特有な帯域を無線通信端末ＵＡ２０に通知し、無線通信端末ＵＡ２０が、通知された必要な帯域を満足する最適な無線通信ネットワークを選択する方法である。何れの場合も、ＳＩＰで無線通信端末ＵＡ１０のプリファレンスを通知し、無線通信端末ＵＡ２０のオペレータのＳＩＰサーバはその通知されたプリファレンスを呼出要求受信情報に含めて、ＳＭＳサーバに通知する。ＳＭＳサーバでは更にプリファレンスを、着信側のアプリケーションを起動させる起動メッセージ（パケットネットワークへの接続やＳＩＰサーバへのRegistrationを促す）の中に含めてＳＭＳ（Short Message Service）で無線通信端末ＵＡ２０に通知することにより、無線通信端末ＵＡ２０は無線通信端末ＵＡ１０のプリファレンスを知ることができる。その後、無線通信端末ＵＡ２０では、通知されたプリファレンスに基づいて一番最適な無線通信ネットワークを選択して、接続した後、当該選択し、接続した一番最適な無線通信ネットワークを介してＳＩＰサーバに登録する。【００５９】
図３、図５は、同じオペレータ（無線通信事業者）に契約している無線通信端末で通信する場合のシーケンス図である。図４、図６はお互いに異なるＩＳＰ(Internet Service Provider)と契約している端末で通信する場合のシーケンス図である。図３では、無線通信端末ＵＡ１０が、ＳＩＰサーバ３００に登録した後、無線通信端末ＵＡ２０にＩＮＶＩＴＥを送信する際、帯域と課金に関するプリファレンス（無線通信端末ＵＡ２０の無線通信ネットワーク選択に関するプリファレンス）をＳＩＰの拡張機能を使って伝える場合を示している。ＩＮＶＩＴＥの記述例は、図１０に示されている。無線通信端末ＵＡ１０から送信されたＩＮＶＩＴＥは、登録したＳＩＰサーバ３００にて帯域と課金に関するプリファレンスを含む呼び出し要求情報として、オペレータのＧＷ４０を経てＳＭＳサーバ５００に通知される。ＳＭＳサーバ５００では、通知されたプリファレンスをＳＭＳの中に含めて、回線交換網にて無線通信端末ＵＡ２０に起動メッセージ（ＳＭＳメッセージ）を送信する。無線通信端末ＵＡ２０では、ＳＭＳで通知されたプリファレンスの内容に応じて一番最適な無線通信ネットワークにてＳＩＰサーバ３００に登録(Register)を行う。図３〜６の場合は、帯域を優先して、帯域の大きいオペレータ無線通信パケットネットワークＲＮＥＴ２で登録を行っている。【００６０】
その後、ＳＩＰの手順にて無線通信端末ＵＡ１０と無線通信端末ＵＡ２０とのセッション（通信）を確立した後で、着信側の無線通信端末ＵＡ２０からはＩＮＦＯメッセージの拡張機能を使って、選択した無線通信ネットワーク名とその無線状態（電波強度）を、発信側の無線通信端末ＵＡ１０に通知する。ＩＮＦＯの記述例は図１１に示す。【００６１】
図４は、無線通信端末ＵＡ２０のＩＳＰとは異なるＩＳＰに契約をしている端末と無線通信端末ＵＡ２０が通信をする場合のシーケンス図である。この場合も、図３と同じようにＳＩＰの拡張機能を用いて帯域と課金に関するプリファレンスは、ＩＮＶＩＴＥにて無線通信端末ＵＡ２０のＩＳＰ（オペレータ）のＳＩＰサーバ２００まで通知される。プリファレンス情報を含むＩＮＶＩＴＥをＳＩＰサーバ２００からＳＩＰサーバ３００へRedirectionして処理する。即ち、本構成では、ＳＩＰサーバ２００は従来のＳＩＰサーバとして振る舞い、ＳＩＰサーバ３００が本発明による新たなＳＩＰフォーマットをサポートする呼制御サーバとして機能する。以降は、図３の場合と同じである。【００６２】
図５、図６は、ＳＩＰの拡張機能を使わない場合のシーケンス図である。この場合、ＳＤＰの帯域情報をＩＮＶＩＴＥに含めて、無線通信端末ＵＡ１０或いは通信端末ＵＡ３０が、無線通信端末ＵＡ２０に送信する。同様に、このＳＤＰの帯域情報は、ＳＩＰサーバ３００からＳＭＳサーバ５００にＧＷ４０を経て呼出要求受信情報として通知される。そして、ＳＭＳサーバ５００は、無線通信端末ＵＡ２０に、プリファレンス情報として帯域情報を含む起動メッセージを通知する。この場合は、課金に関するプリファレンスはなく、ただ発信側端末で利用するアプリケーションの必要帯域を無線通信端末ＵＡ２０に通知するのみであるので、無線通信端末ＵＡ２０では通知された必要帯域を安定して満たすことができる最適な無線通信ネットワークを使ってＳＩＰサーバ３００に登録する（同一オペレータの場合）。帯域条件を満足する無線通信ネットワークが複数ある場合は、その中で一番通信料が安い無線通信ネットワークを選択することが好適である。【００６３】
図７は、ＳＩＰサーバ（呼制御サーバ）の機能ブロック図である。図に示すように、ＳＩＰサーバ３００は、ログイン（登録）処理部３１０、呼出要求受信部３２０、アドレス解決処理部３３０、呼出要求生成部３４０、および呼出要求送信部３５０を備える。ログイン（登録）処理部３１０は、端末からのログイン（登録）要求(Register)を受け取り、必要な処理を行う。呼出要求受信部３２０は、発信側のプリファレンス情報を含み、着信側を呼び出すための呼出要求(Inviteメッセージ)を受信する。呼出要求生成部３４０は、呼出要求受信部３２０により受信された呼出要求を着呼側に伝えるために、前記呼出要求を受信したことを示す情報と、呼出要求に含まれるプリファレンス情報とを含む呼出要求受信情報(Infoメッセージ)を生成し、呼出要求送信部３５０は、生成された呼出要求受信情報(Infoメッセージ)をＳＭＳサーバ（メッセージ送信サーバ）に送信する。【００６４】
図８は、ＳＭＳサーバ（メッセージ送信サーバ）の機能ブロック図である。図に示すように、ＳＭＳサーバ５００は、情報受信部５１０および起動メッセージ送信部５２０を備える。情報受信部５１０は、ＳＩＰサーバ（呼制御サーバ）から送信された前記呼出要求受信情報を受信する。起動メッセージ送信部５２０は、情報受信部５１０で受信した呼出要求受信情報に基づいて、発信側との通信を起動させる起動メッセージ（ＳＭＳメッセージ）に、呼出要求受信情報に含まれるプリファレンス情報を含めて着信側に送信する。【００６５】
図９は、無線通信端末の機能ブロック図である。図に示すように、無線通信端末ＵＡ２０は、通信処理部１１０、制御部（ＣＰＵ、プロセッサ）１２０、操作（プリファレンス）入力部１３０、ＳＩＰ（拡張）処理部１４０、無線通信ネットワーク選択処理部１５０、格納部１６０、スピーカＳＰ，マイクロフォンＭＩＣ、表示部１７０、音声変調／復調部１８０、および画像変調／復調部１９０を備える。無線通信端末ＵＡ２０は、３つの無線通信インターフェイス処理部２１０、２２０，２３０、およびアンテナＡＮＴをさらに備える。各無線通信インターフェイス処理部２１０，２２０，２３０には、それぞれ異種の無線通信ネットワークに接続する機能を持つ通信カードＣＯＭ１、ＣＯＭ２、ＣＯＭ３が装着される。なお、無線通信部は、このような外部接続タイプのみならず内蔵タイプでもよい。【００６６】
図１０は、本発明の一実施態様による無線通信端末、通信端末、ＳＩＰサーバなどの通信装置がサポートする拡張されたＳＩＰのＩＮＶＩＴＥメッセージフォーマットの一例を示す図である。図に示すように、IINVITEメッセージに発信側(Caller Party)のプリファレンス情報を伝えるための“Com-Media-Sel-Pref”ヘッダを導入し、“Com-Media-Sel-Pref”ヘッダフィールドの値としては、帯域優先を指定する”bandwidth”と、課金優先を指定する”cost”を導入する。さらに、アプリケーションに特有な帯域を指定するサブフィールドとしてB=”AS:500”（500kB/sec）も指定されている。このような新たなＳＩＰメッセージのフォーマットを導入することによって、本発明のように、発信側のプリファレンス情報を着信側に伝達することが可能となる。【００６７】
図１１は、本発明の一実施態様による無線通信端末、通信端末、ＳＩＰサーバなどの通信装置がサポートする拡張されたＳＩＰのＩＮＦＯメッセージフォーマットの一例を示す図である。図に示すように、発信側(Caller Party)のプリファレンス情報に対して、着信側（Called Party）の対応状況を伝えるため、INFOメッセージに“Com-Media-Sel-Pref-Result”ヘッダを導入し、“Com-Media-Sel-Pref-Result”ヘッダフィールドの値には、選択された対応状況、例えば、無線通信デバイス／ネットワークの名称、或いは、使用するプロトコルなどを入れる。この例では、着信側における無線通信デバイス／ネットワークの選択結果を示す”IEEE.802.16e”が指定されている。また、”Radio-Status”ヘッダを新たに導入し、、”Radio-Status”ヘッダフィールドの値としては、電波状態を知らせる”Strong”、”Medium”、”Weak”のいずれかが指定される。【００６８】
図１２は、発信側(Caller Party)の通信端末の表示画面の一例を示す図である。図に示すように、画面Ｄ１０には、着信側の無線通信ネットワークの選択の際に使用されることを所望する発信側のプリファレンス情報の選択肢フィールドＦ１１，Ｆ１２が２つ提示されている。ユーザは、２つの選択肢から所望するものを１つ指示・選択し、これがプリファレンス情報として、ＳＩＰのＩＮＶＩＴＥメッセージの所定の箇所、或いは、ＳＤＰに格納される。【００６９】
図１３は、発信側(Caller Party)の通信端末の表示画面の一例を示す図である。図に示すように、画面Ｄ２０には、着信側で選択され、使用されている無線通信ネットワークの電波状態（電波伝搬環境）が電波状態表示フィールドＦ２０に表示されている。アンテナマークの右側の縦棒の数で電界強度が表され、１本が弱電界、２本が中電界、３本が強電界を示している。この例では、相手側端末の無線通信環境ではアンテナ２本なので中位の電界強度であることが分る。実施の形態１では、本発明をメッセージ送信サーバ（ＳＭＳサーバ）を利用する態様で説明したが、以下の実施の形態２では、本発明を、ページング制御装置（基地局、基地局制御装置、ＳＩＰサーバなど）を利用する態様で説明する。【００７０】
＜実施の形態２＞
本発明の実施の形態２を詳細に説明する。実施の形態２における典型的な処理シーケンスは、処理(6)、処理(11)を除いて、実施の形態１のそれらの処理とほぼ同様のものである。従って、実施の形態１と異なる処理(6)、処理(11)のみを説明し、他の処理の説明は省略する。【００７１】
(6)．処理(5)の発信側のプリファレンスは、ページング制御装置として機能する基地局から着信側の無線通信端末に送信されるページングメッセージ中に記述されており、着信側の無線通信端末はページングメッセージで呼び出されると同時に発信側のプリファレンスを通知される。或いは、ＳＩＰサーバや基地局制御装置をページング制御装置として機能させ、これらの装置が、下位の装置である基地局制御装置や基地局を制御してページングメッセージを送信させる構成を取ることも可能である。【００７２】
(11)．発信側の端末（UAC;User Agent Client）は、着信側の無線通信端末(UAS;User Agent Server)がリアルタイムアプリケーションに必要な帯域を実現することを優先するのか、それとも課金が一番安くなることを優先するのかと言ったいわゆるポリシーのネゴシエーションを、ＳＩＰサーバ（或いはページング制御装置として機能する基地局や基地局制御装置）と行い決定する。UASでは予め、利用できる無線通信ネットワークと平均帯域とをＳＩＰサーバ（或いはページング制御装置として機能する基地局や基地局制御装置）に登録しておく。【００７３】
図１４に、本発明の一実施態様による無線通信ネットワーク構成図を示す。図に示すように、サーバやゲートウェイとしては、ＤＮＳサーバ１０、ＳＩＰサーバ２００、ＳＩＰサーバ３００、ゲートウェイ(GW)４０、ＳＭＳサーバ５０、ＳＩＰサーバ（或いはGW）６０、ＳＩＰサーバ（或いはGW）７００がある。ＳＩＰサーバ２００、３００は、本発明による呼制御サーバとして機能し、ＳＩＰサーバ７００（或いは、基地局制御装置８００、基地局９００）は、本発明によるメッセージ送信サーバとして機能する。発信側および着信側の通信端末やソフトホンとしては、無線通信端末ＵＡ(User Agent)１０，ＵＡ２０、通信端末（ソフトホン）ＵＡ３０がある。これらの各端末は、上述した各サーバやＧＷと、インターネットＮＥＴ１、オペレータパケットネットワークＮＥＴ２、オペレータ回線交換ネットワークＮＥＴ３、オペレータ無線通信パケットネットワークＲＮＥＴ１，ＲＮＥＴ２を介して接続している。【００７４】
無線通信端末ＵＡ１０は、オペレータ無線通信パケットネットワークＲＮＥＴ２に接続しており、一方、無線通信端末ＵＡ２０は、オペレータ無線通信パケットネットワークＲＮＥＴ１で待ち受けしている。オペレータ無線通信パケットネットワークＲＮＥＴ２は、オペレータ無線通信パケットネットワークＲＮＥＴ１に比べてよりブロードバンドなネットワークである。無線通信端末ＵＡ２０は、複数の無線通信ネットワークに接続することができるいわゆるマルチモード端末である。ここでは簡単のために、オペレータ無線通信パケットネットワークＲＮＥＴ１と、オペレータ無線通信パケットネットワークＲＮＥＴ２に接続できるものとする。無線通信端末ＵＡ２０がオペレータ無線通信パケットネットワークＲＮＥＴ１の回線交換ネットワークで待ち受けしている時は、オペレータ無線通信パケットネットワークＲＮＥＴ２のパケット交換網に対しては接続しておらず、未接続の状態である（ＲＮＥＴ２に未接続でなくても良い状況もあるが、ここでは前記の前提で説明する）。【００７５】
ここで、無線通信端末ＵＡ１０が発信／発呼側(Caller Party)として、リアルタイムアプリケーションサービスの呼出を、着信／着呼側としての無線通信端末ＵＡ２０にする場合、リアルタイムアプリケーションを無線通信端末ＵＡ２０で実行する上でのプリファレンスを、ＳＩＰのＩＮＶＩＴＥ（接続開始要求）メッセージに格納して無線通信端末ＵＡ２０に伝える。実施の形態２で使用されるプリファレンスは、実施の形態１と同様である。【００７６】
このプリファレンスを無線通信端末ＵＡ２０に伝える方法として、以下の２種類がある。第１の方法は、ＳＩＰで無線通信端末ＵＡ２０で複数の無線通信ネットワークから１つの無線通信ネッワークを選択して接続する上でのプリファレンス（選択基準）を伝えるために、ＳＩＰに新しくヘッダーとパラメータを定義する方法である。第２の方法は、ＩＮＶＩＴＥのＳＤＰ(Session Description Protocol)でアプリケーションに特有な帯域を無線通信端末ＵＡ２０に通知し、無線通信端末ＵＡ２０が、通知された必要な帯域を満足する最適な無線通信ネットワークを選択する方法である。何れの場合も、ＳＩＰで無線通信端末ＵＡ１０のプリファレンスを通知し、無線通信端末ＵＡ２０のオペレータのＳＩＰサーバはその通知されたプリファレンスを呼出要求受信情報に含めて、ページング制御装置として機能するＳＩＰサーバや基地局制御装置などに通知する。ＳＩＰサーバでは更にプリファレンスをページングメッセージの中に含めてページングで無線通信端末ＵＡ２０に通知するように配下の基地局制御装置８００、基地局９００を制御する。このようにして、無線通信端末ＵＡ２０は無線通信端末ＵＡ１０のプリファレンスを知ることができる。その後、無線通信端末ＵＡ２０では、通知されたプリファレンスに基づいて一番最適な無線通信ネットワークを選択して、接続した後、当該選択し、接続した一番最適な無線通信ネットワークを介してＳＩＰサーバに登録する。【００７７】
図１６、図１８は、同じオペレータ（無線通信事業者）に契約している無線通信端末で通信する場合のシーケンス図である。図１７、図１９はお互いに異なるＩＳＰ(Internet Service Provider)と契約している端末で通信する場合のシーケンス図である。図１６では、無線通信端末ＵＡ１０が、ＳＩＰサーバ３００に登録した後、無線通信端末ＵＡ２０にＩＮＶＩＴＥを送信する際、帯域と課金に関するプリファレンス（無線通信端末ＵＡ２０の無線通信ネットワーク選択に関するプリファレンス）をＳＩＰの拡張機能を使って伝える場合を示している。なお、本実施の形態では、ＩＮＶＩＴＥメッセージは、実施の形態１で示した記述例（図１０）を用いることができる。無線通信端末ＵＡ１０から送信されたＩＮＶＩＴＥは、登録したＳＩＰサーバ３００にて帯域と課金に関するプリファレンスを含む呼び出し要求情報として、オペレータのＧＷ４０を経てＳＩＰサーバ７００に通知される。ＳＩＰサーバ７００は、通知されたプリファレンスをページングメッセージの中に含めて、無線通信端末ＵＡ２０にページングメッセージを送信するように、配下の基地局制御装置８００、基地局９００を制御する。無線通信端末ＵＡ２０では、ページングで通知されたプリファレンスの内容に応じて一番最適な無線通信ネットワークにてＳＩＰサーバ６０に登録(Register)を行う。図１６〜１９の場合は、帯域を優先して、帯域の大きいオペレータ無線通信パケットネットワークＲＮＥＴ２で登録を行っている。【００７８】
その後、ＳＩＰの手順にて無線通信端末ＵＡ１０と無線通信端末ＵＡ２０とのセッション（通信）を確立した後で、着信側の無線通信端末ＵＡ２０からはＩＮＦＯメッセージの拡張機能を使って、選択した無線通信ネットワーク名とその無線状態（電波強度）を、発信側の無線通信端末ＵＡ１０に通知する。なお、本実施の形態では、ＩＮＦＯメッセージは、実施の形態１で示した記述例（図１１）を用いることができる。【００７９】
図１７は、無線通信端末ＵＡ２０のＩＳＰとは異なるＩＳＰに契約をしている端末と無線通信端末ＵＡ２０が通信をする場合のシーケンス図である。この場合も、図１６と同じようにＳＩＰの拡張機能を用いて帯域と課金に関するプリファレンスは、ＩＮＶＩＴＥにて無線通信端末ＵＡ２０のＩＳＰ（オペレータ）のＳＩＰサーバ２００まで通知される。プリファレンス情報を含むＩＮＶＩＴＥをＳＩＰサーバ２００からＳＩＰサーバ３００へRedirectionして処理する。即ち、本構成では、ＳＩＰサーバ２００は従来のＳＩＰサーバとして振る舞い、ＳＩＰサーバ３００が本発明による新たなＳＩＰフォーマットをサポートする呼制御サーバとして機能する。以降は、図１６の場合と同じである。【００８０】
図１８、図１９は、ＳＩＰの拡張機能を使わない場合のシーケンス図である。この場合、ＳＤＰの帯域情報をＩＮＶＩＴＥに含めて、無線端末ＵＡ１０或いは通信端末ＵＡ３０が、無線端末ＵＡ２０に送信する。同様に、このＳＤＰの帯域情報は、ＳＩＰサーバ３００からＳＩＰサーバ７００にＧＷ４０を経て呼出要求受信情報として通知される。そして、ＳＩＰサーバ７００は、無線通信端末ＵＡ２０に、プリファレンス情報として帯域情報を含むページングメッセージをページングで通知するように、配下の基地局制御装置８００、基地局９００を制御する。この場合は、課金に関するプリファレンスはなく、ただ発信側端末で利用するアプリケーションの必要帯域を無線通信端末ＵＡ２０に通知するのみであるので、無線通信端末ＵＡ２０では通知された必要帯域を安定して満たすことができる最適な無線通信ネットワークを使ってＳＩＰサーバ６０（またはＳＩＰサーバ３００）に登録する。帯域条件を満足する無線通信ネットワークが複数ある場合は、その中で一番通信料が安い無線通信ネットワークを選択することが好適である。【００８１】
図７は、ＳＩＰサーバ（呼制御サーバ）の機能ブロック図である。図に示すように、ＳＩＰサーバ３００は、ログイン（登録）処理部３１０、呼出要求受信部３２０、アドレス解決処理部３３０、呼出要求生成部３４０、および呼出要求送信部３５０を備える。ログイン（登録）処理部３１０は、端末からのログイン（登録）要求(Register)を受け取り、必要な処理を行う。呼出要求受信部３２０は、発信側のプリファレンス情報を含み、着信側を呼び出すための呼出要求(Inviteメッセージ)を受信する。呼出要求生成部３４０は、呼出要求受信部３２０により受信された呼出要求を着信側に伝えるために、前記呼出要求を受信したことを示す情報と、呼出要求に含まれるプリファレンス情報とを含む呼出要求受信情報(Infoメッセージ)を生成し、呼出要求送信部３５０は、生成された呼出要求受信情報(Infoメッセージ)をページング制御装置として機能するＳＩＰサーバ（或いは、ページング制御装置として機能する基地局制御装置や基地局）に送信する。【００８２】
図２０は、ＳＩＰサーバ（ページング制御装置）の機能ブロック図である。図に示すように、ＳＩＰサーバ７００は、情報受信部７１０およびページングメッセージ送信制御部７２０を備える。情報受信部７１０は、他のＳＩＰサーバ（呼制御サーバ）から送信された呼出要求受信情報を受信する。ページングメッセージ送信制御部７２０は、情報受信部７１０で受信した呼出要求受信情報に基づいて、発信側との通信を起動させる「ページングメッセージ」の送出を要求する「ページング要求メッセージ」などに、呼出要求受信情報に含まれるプリファレンス情報を含めて着信側に送信する。この例では、ページング制御装置としてＳＩＰサーバ７００を挙げたが、これら情報受信部７１０およびページングメッセージ送信制御部７２０を基地局制御装置、基地局、ＰＤＳＮ（パケットデータサービスノード、パケットデータ交換装置）に設けてもよい。また、図１５〜１８では、作図および説明の便宜上、ページング制御装置として機能するＳＩＰサーバ７００が、ページングメッセージを送出しているように説明したが、上述したように、実際のページングメッセージは、配下の基地局によって送信されることに注意されたい。【００８３】
実施の形態２では、実施の形態１と同様の符号を付した装置、サーバ或いは構成要素などは、実施の形態１と同様のものであり、同様の機能を有するものであり、これらの説明は省略する。よって、以降、各実施の態様の説明においては、同様の装置や構成要素の説明は省略することがあることに注意されたい。例えば、実施の形態２で使用するＳＩＰサーバ（呼制御サーバ）３００、或いは無線通信端末ＵＡ２０は、実施の形態１のそれらと同様の構成要素および機能を有する。実施の形態２においても、実施の形態１と同様に、発信側(Caller Party)の通信端末には、図１２、図１３に示すような表示画面が表示される。【００８４】
実施の形態２によれば、インターネット上の（有線）マルチメディア端末或いは無線通信端末から、複数の無線通信デバイスを備えた、いわゆるマルチモード端末に発信する場合、発信ユーザの使用するアプリケーションに必要な帯域或いは課金に関するプリファレンスに最適な無線通信ネットワークを着信側（ユーザ）で最初から選択して、通話が成立する。例えば、発信側ユーザがＩＰテレビ電話などの大きな帯域を必要とするアプリケーションで着信側ユーザと通信を行ないたい場合、そのアプリケーションに必要な帯域を着信ユーザに呼び出し段階で伝えることができるので、アプリケーションに不向きな他の無線通信ネットワークを一度も使うことなく、最初から、当該アプリケーションに最適な無線通信ネットワークを選択して通話を開始することができる。また、もし発信側ユーザが課金が安いことを一番重要視するのであれば、その旨を同じく着信側ユーザにプリファレンス情報として呼び出し段階で伝えることができるので、最も課金が安い無線通信ネットワークを最初から選択して通話を開始することができる。【００８５】
＜実施の形態３＞
本発明の実施の形態３、４を詳細に説明する前に、実施の形態３、４の典型的な処理シーケンスを簡単に説明する。
(1)．複数の無線通信ネットワークデバイスを具備した無線通信端末において、リアルタイムアプリケーションの着信があった場合、発信側の端末から通知されたアプリケーションに必要な所要帯域を考慮して、最適な無線通信ネットワークを選択し、ＳＩＰサーバに登録（REGISTRATION）動作を行い、以後必要なＳＩＰの手順を経て通信状態に至る。その後移動に伴い上記無線通信端末が他の無線通信ネットワークへのハンドオーバを行うことを余儀なくされた場合、ハンドオーバに関連する抽象化されたＬ２(Layer 2)情報（即ち、無線リンク情報）を使ってＳＩＰにて通信相手（セッションの相手）のアプリケーションに伝える。なお、このＬ２情報は、無線通信システムに固有のものではなく、どの無線通信ネットワークでもアプリケーションが利用可能な、つまりシステムに依存しない抽象化された情報であり、着呼側、発呼側の違いによって、Ｌ１(Layer 1)情報の一部となるデータを含む場合もあることに注意されたい。【００８６】
(2)．処理(1)において通信相手に通知される抽象化されたＬ２情報には、ハンドオーバ先の無線通信ネットワークの提供できる帯域や遅延特性（平均遅延、ジッタなど）などのパラメータを含む。【００８７】
(3)．処理(2)においてＬ２情報を通知された通信相手のアプリケーションは、通知された帯域や遅延特性を鑑みて現在実行しているアプリケーションの符号化方式（コーディック）や、圧縮率（コーディックレート）、サンプリングレート、コーディングレート、フレームレート、バッファ（再生バッファ、ジッタバッファ）などを適切な値に変更する或いは準備を行う。また、Ｌ２情報を通知された通話相手の装置は、アプリケーション自体を変更してもよい。現在よりも狭帯域用のものに変更する場合は、通知された通信相手が事前に変更してもよい。その際、ＳＩＰにて通信相手はＬ２情報を通知した無線通信端末とＳＩＰによるネゴシエーションを行う。なお、ＳＩＰメッセージには１〜３秒のタイムラグがある。これにより、広帯域から狭帯域に変更した後にＳＩＰメッセージで通知することによる通話品質の劣化を防ぐことができる。また、逆に狭帯域から広帯域の無線通信ネットワークにハンドオーバする場合、ハンドオーバが完了してからＳＩＰメッセージで通知もしくは通知に基づく変更を行う方が通信品質の劣化を防ぐことができる。【００８８】
(4)．処理(3)においてより狭帯域な無線通信ネットワークにハンドオーバする場合は、そのことを通信相手先では表示部、スピーカなどのユーザインターフェイス（UI:User Interface）にてユーザに知らせて、アプリケーションのコーディング方式やコーディックの種類やコーディングレート及びフレームレートなどを適切な値に変更するか、或いはアプリケーション自体を他の狭帯域用のアプリケーションに変更するのか、或いは何も変更しないのか選択できるようにする。また、事前にユーザのポリシーを登録しておいてもよい。【００８９】
(5)．処理(3)においてより広帯域な無線通信ネットワークにハンドオーバする場合は、そのことを通信相手先ではユーザインターフェイスにてユーザに知らせて、アプリケーションのコーディング方式やコーディックの種類やコーディングレート及びフレームレートなどを適切な値に変更するか、或いはアプリケーション自体を他の広帯域用のアプリケーションに変更するのか、或いは何も変更しないのか選択できるようにする。また、事前にユーザのポリシーを登録しておいてもよい。【００９０】
(6)．複数の無線通信ネットワークデバイスを具えた無線通信端末において、リアルタイムアプリケーションで通信中に他の無線通信ネットワークへのハンドオーバを開始したことを、無線リンク情報（抽象化されたＬ２情報）でＳＩＰを使って通信相手（CN: Correspondence Node）のアプリケーションに通知する。通知された通信相手のアプリケーションでは、ハンドオーバ時の切り替え特性（ハンドオーバ所要時間など）を考慮して、一時的にジッタバッファやバッファを大きくしてパケットロスを防止し、そして、最終的には、ハンドオーバ先の無線通信ネットワークの帯域や遅延特性を考慮して、ジッタバッファやバッファを設定することが可能となる。【００９１】
(7)．複数の無線通信ネットワークデバイスを具備した無線通信端末において、リアルタイムアプリケーションで通信中に他の無線通信ネットワークへのハンドオーバが完了したことを、無線リンク情報（抽象化されたＬ２情報）でＳＩＰを使って通信相手（CN）のアプリケーションに通知する。通知された通信相手のアプリケーションでは、一時的に大きくしたジッタバッファやバッファをハンドオーバ先の無線通信ネットワークに適切な大きさに変更する。また、ハンドオーバ後の無線通信ネットワークの方がより広帯域の場合は、それにマッチするようにコーディング方式やコーディングレート及びフレームレートを変更する。プリファレンス（所望の設定事項）が帯域優先の場合、かつ、狭帯域の無線通信ネットワークにハンドオーバした場合は、音声と画像を同時にアプリケーションで使っていたときは、音声のみを使うように変更することもできる。【００９２】
(8)．複数の無線通信ネットワークデバイスを具備した無線通信端末において、「着信側の無線通信端末(UAS)がリアルタイムアプリケーションに必要な帯域を実現することを優先する」のか、それとも「課金が一番安くなることを優先する」のかと言ったいわゆるポリシーに関する発信側の端末のプリファレンスを、着信側の端末UASが回線交換網と接続する通信手段を有する場合は、着信側の端末UASの属するＳＭＳサーバは、ＳＭＳにて発信側の端末UACのプリファレンスを伝える。【００９３】
(9)．複数の無線通信ネットワークデバイスを具備した無線通信端末において、その通信品質が或る基準値以下になった場合、無線リンクレイヤは、他の無線通信ネットワークへのハンドオーバの準備をするために、特定の無線通信ネットワークに依存しない無線リンク情報（抽象化されたＬ２情報）を無線通信端末の制御部に通知する。通知された無線通信端末制御部は、スリープモード或いは電源断になっている他の無線通信ネットワークを起動して無線ネットワークに接続させる。いわゆるハンドオーバの準備を開始する、或る基準値以上であれば、他の無線通信デバイスは、ドーマントモード或いは電源断の状態にしておき、バッテリーの徒な消耗を防止する。【００９４】
(10)．処理(9)において新しい別の無線通信ネットワークの無線リンクレイヤは、サーバと制御メッセージ或いはエコーメッセージの送受信を行うことによって、その無線ネットワークで供給できる平均遅延及びジッタを測定して、無線通信端末の制御部に通知する。また取得した無線情報から帯域の予測を行い、同じく無線通信端末の制御部に通知する。これにより無線通信端末の制御部は、ハンドオーバ先の無線通信ネットワークの予測帯域と平均遅延及びジッタをＳＩＰを使って通信相手のアプリケーションに通知することができる。【００９５】
(11)．発信側の端末（UAC;User Agent Client）は、着信側の端末(UAS;User Agent Server)がリアルタイムアプリケーションに必要な帯域を実現することを優先するのか、それとも課金が一番安くなることを優先するのかと言ったいわゆるポリシーのネゴシエーションを、ＳＭＳサーバ或いはＳＩＰサーバ（着信端末にメトリックで一番近い）と行い決定する。着信側の端末UASでは予め、希望するポリシーを、例えばＳＭＳサーバ或いはＳＩＰサーバなどに登録しておくことができる。）。【００９６】
以降、諸図面を参照しながら、実施態様を詳細に説明する。実施の形態３として、相手先を呼び出す際にＳＭＳを使用する構成を説明し、実施の形態４として、相手先を呼び出す際にページングを使用する構成を説明する。なお、実施の形態３と実施の形態４は、ＳＩＰセッションを確立するため構成（中継局や起動メッセージを伝達するサーバなど）が異なるのみであり、両端の無線通信端末の機能は、双方とも同様のものである。【００９７】
図２１に、本発明の一実施態様による無線通信ネットワーク構成図を示す。図に示すように、サーバやゲートウェイとしては、ＤＮＳサーバ１０、ＳＩＰサーバ２００、ＳＩＰサーバ３００、ゲートウェイ(GW)４０、ＳＭＳサーバ５００、ＳＩＰサーバ（或いはGW）６０、ＳＩＰサーバ（或いはGW）７０がある。ＳＩＰサーバ２００、３００は、本発明による呼制御サーバとしての機能し、ＳＭＳサーバ５００は、本発明によるメッセージ送信サーバとして機能する。発信側および着信側の通信端末やソフトホンとしては、無線通信端末ＵＡ(User Agent)１００，ＵＡ２００、通信端末（ソフトホン）ＵＡ３００がある。これらの各端末は、上述した各サーバやＧＷと、インターネットＮＥＴ１、オペレータパケットネットワークＮＥＴ２、オペレータ回線交換ネットワークＮＥＴ３、オペレータ無線通信パケットネットワークＲＮＥＴ１，ＲＮＥＴ２を介して接続している。【００９８】
無線通信端末ＵＡ１００は、オペレータ無線通信パケットネットワークＲＮＥＴ２に接続しており、一方、無線通信端末ＵＡ２００は、オペレータ無線通信パケットネットワークＲＮＥＴ２に接続可能である。オペレータ無線通信パケットネットワークＲＮＥＴ２は、オペレータ無線通信パケットネットワークＲＮＥＴ１に比べてよりブロードバンドなネットワークである。無線通信端末ＵＡ２００は、複数の無線通信ネットワークに接続することができるいわゆるマルチモード端末である。ここでは簡単のために、オペレータ無線通信パケットネットワークＲＮＥＴ１と、オペレータ無線通信パケットネットワークＲＮＥＴ２に接続できるものとする。無線通信端末ＵＡ２００がオペレータ無線通信パケットネットワークＲＮＥＴ１に対応する回線交換ネットワークで待ち受けしている時は、オペレータ無線通信パケットネットワークＲＮＥＴ１のパケット交換網とオペレータ無線通信パケットネットワークＲＮＥＴ２のパケット交換網に対しては接続しておらず、未接続の状態である。【００９９】
ここで、無線通信端末ＵＡ１００が発信／発呼側(Calling Party)として、リアルタイムアプリケーションサービスの呼出を、着信／着呼側としての無線通信端末ＵＡ２００にする場合、リアルタイムアプリケーションを無線通信端末ＵＡ２００で実行する上でのプリファレンスを、ＳＩＰのＩＮＶＩＴＥ（接続開始要求）メッセージに格納して無線通信端末ＵＡ２００に伝える。実施の形態３で使用されるプリファレンスは、実施の形態１と同様である。【０１００】
このプリファレンスを無線通信端末ＵＡ２００に伝える方法として、以下の２種類がある。第１の方法は、無線通信端末ＵＡ２００が複数の無線通信ネットワークから１つの無線通信ネッワークを選択して接続する上でのプリファレンス（選択基準）を伝えるために、ＳＩＰに新しくヘッダーとパラメータを定義する方法である。第２の方法は、ＩＮＶＩＴＥのＳＤＰ(Session Description Protocol)によりアプリケーションに特有な帯域を無線通信端末ＵＡ２００に通知し、無線通信端末ＵＡ２００が、通知された必要な帯域を満足する最適な無線通信ネットワークを選択する方法である。何れの場合も、ＳＩＰにより無線通信端末ＵＡ１００のプリファレンスを通知し、無線通信端末ＵＡ２００のオペレータのＳＩＰサーバはその通知されたプリファレンスを呼出要求情報に含めて、ＳＭＳサーバに通知する。ＳＭＳサーバではさらにプリファレンスを、着信側のアプリケーションを起動させる起動メッセージ（パケットネットワークへの接続やＳＩＰサーバへのRegistrationを促す）の中に含めてＳＭＳ（Short Message Service）メッセージで無線通信端末ＵＡ２００に通知することにより、無線通信端末ＵＡ２００は無線通信端末ＵＡ１００のプリファレンスを知ることができる。その後、無線通信端末ＵＡ２００では、通知されたプリファレンスに基づいて一番最適な無線通信ネットワークを選択して、接続した後、当該選択し、接続した一番最適な無線通信ネットワークを介してＳＩＰサーバに登録する。【０１０１】
図２２、図２４は、同じオペレータ（無線通信事業者）に契約している無線通信端末で通信する場合のシーケンス図である。図２３、図２５はお互いに異なるＩＳＰ(Internet Service Provider)と契約している端末で通信する場合のシーケンス図である。図２２では、無線通信端末ＵＡ１００が、ＳＩＰサーバ３００に登録した後、無線通信端末ＵＡ２００にＩＮＶＩＴＥを送信する際、帯域と課金に関するプリファレンス（無線通信端末ＵＡ２００の無線通信ネットワーク選択に関するプリファレンス）をＳＩＰの拡張機能を使って伝える場合を示している。なお、本実施の形態では、ＩＮＶＩＴＥメッセージは、実施の形態１で示した記述例（図１０）を用いることができる。無線通信端末ＵＡ１００から送信されたＩＮＶＩＴＥは、登録したＳＩＰサーバ３００にて帯域と課金に関するプリファレンスを含む呼び出し要求情報として、オペレータのＧＷ４０を経てＳＭＳサーバ５００に通知される。ＳＭＳサーバ５００では、通知されたプリファレンスをＳＭＳの中に含めて、回線交換網にて無線通信端末ＵＡ２００に起動メッセージ（ＳＭＳメッセージ）を送信する。無線通信端末ＵＡ２００では、ＳＭＳで通知されたプリファレンスの内容に応じて一番最適な無線通信ネットワークにてＳＩＰサーバ３００に登録(Register)を行う。図２２〜２５の場合は、帯域を優先して、帯域の大きいオペレータ無線通信パケットネットワークＲＮＥＴ２で登録を行っている。【０１０２】
その後、ＳＩＰの手順にて無線通信端末ＵＡ１００と無線通信端末ＵＡ２００とのセッション（通信）を確立した後で、着信側の無線通信端末ＵＡ２００からはＩＮＦＯメッセージの拡張機能を使って、選択した無線通信ネットワーク名とその無線状態（電波強度）を、発信側の無線通信端末ＵＡ１００に通知する。なお、本実施の形態では、ＩＮＦＯメッセージは、実施の形態１で示した記述例（図１１）を用いることができる。図２２では、着信端末である無線通信端末ＵＡ２００が、無線リンク情報として電界強度を取得し（ステップＳ１）、取得した情報および選択した無線通信方式（このケースでは、強電界、IEEE802.16eが選択されたこと）をＩＮＦＯメッセージ内に格納して、発信端末である無線通信端末ＵＡ１００に伝送している。図２３も、同様に、着信端末である無線通信端末ＵＡ２００が、無線リンク情報として受信電力（電波状態を示す電界強度）を取得し（ステップＳ２）、取得した情報および選択した無線通信方式をＩＮＦＯメッセージ内に格納して発信端末である無線通信端末ＵＡ１００に伝送している。【０１０３】
図２４、図２５は、ＳＩＰの拡張機能を使わない場合のシーケンス図である。この場合、ＳＤＰの帯域情報をＩＮＶＩＴＥに含めて、無線通信端末ＵＡ１００或いは通信端末ＵＡ３００が、無線通信端末ＵＡ２００に送信する。同様に、このＳＤＰの帯域情報は、ＳＩＰサーバ３００からＳＭＳサーバ５００にＧＷ４０を経て呼出要求情報として通知される。そして、ＳＭＳサーバ５００は、無線通信端末ＵＡ２００に、プリファレンス情報として帯域情報を含む起動メッセージを通知する。この場合は、課金に関するプリファレンスはなく、ただ発信側端末で利用するアプリケーションの必要帯域を無線通信端末ＵＡ２００に通知するのみであるので、無線通信端末ＵＡ２００では通知された必要帯域を安定して満たすことができる最適な無線通信ネットワークを使ってＳＩＰサーバ３００に登録する（同一オペレータの場合）。帯域条件を満足する無線通信ネットワークが複数ある場合は、その中で一番通信料が安い無線通信ネットワークを選択することが好適である。【０１０４】
図２４では、通話（セッション）が開始された直後に、ステップＳ３にて、着信端末である無線通信端末ＵＡ２００が、無線リンク情報として電界強度を取得し、取得した情報および選択した無線通信方式（このケースでは、無線状態が強電界、IEEE802.16eが選択されたこと）をＩＮＦＯメッセージ内に格納して、発信端末である無線通信端末ＵＡ１００に伝送している。その後、通話中、無線通信端末ＵＡ２００は、定期的に無線状態を監視し、監視結果（無線リンク情報）を無線通信端末ＵＡ１００に伝送してもよい。そして、定期的に監視している無線状態が劣化した（品質基準1以下）と判定した場合は（ステップＳ４）、無線通信端末ＵＡ２００は、もう１つの無線通信ネットワークである無線通信ネットワークＲＮＥＴ１（EV-DO）を起動して無線リンクを確立する。その際、同時に通信相手である無線通信端末ＵＡ１００にＳＩＰの拡張機能を使って、ＩＮＦＯメッセージで”Link_Parameter_Change”というＬ２情報イベント（無線リンク情報）を通知して、無線通信端末ＵＡ２００が無線通信ネットワークＲＮＥＴ２から無線通信ネットワークＲＮＥＴ１へのハンドオーバの準備を開始したことを無線通信端末ＵＡ１００のアプリケーションに通知する。その後、ステップＳ５にて、さらに無線通信端末ＵＡ２００の無線通信ネットワークＲＮＥＴ２での通信品質が劣化して品質基準２以下になった場合、無線通信端末ＵＡ２００では、ハンドオーバ先の平均遅延時間(150ms)、ジッタ、予測帯域(300kbps)などを含んだ”Link_Going_Down”というＬ２情報イベント（無線リンク情報）を、発信端末である無線通信端末ＵＡ１００のアプリケーションに同じくＳＩＰの拡張機能を使って通知する。【０１０５】
無線通信端末ＵＡ１００では、この場合ハンドオーバ先の無線通信ネットワークＲＮＥＴ１が、現在、無線通信端末ＵＡ２００が使用している無線通信ネットワークＲＮＥＴ２より狭帯域なネットワークであることを知り、アプリケーションが通知された帯域や遅延特性に適応するような、より狭帯域用のコーディック(CODEC)に事前に変更するために、ＩＮＶＩＴＥで無線通信端末ＵＡ２００に問い合わせを行う（アプリケーションはこの場合VoIPである）。無線通信端末ＵＡ２００では、このコーディック変更の通知を”ACK”（肯定応答）で了承したことを無線通信端末ＵＡ１００のアプリケーションに通知する。これを受けて無線通信端末ＵＡ１００と無線通信端末ＵＡ２００では、同時にコーディックの変更（或いは、コーディックレートやコーディック処理上の設定値の変更）を行う。なお、図２５は、互いに異なるＩＳＰ(Internet Service Provider)と契約している端末で通信する場合のシーケンス図であるが、図２４のステップＳ３，Ｓ４，Ｓ５と、同様の処理であるステップＳ６，Ｓ７，Ｓ８をトリガーにして、無線リンク情報を発呼側の無線通信端末ＵＡ１００に伝えている。【０１０６】
図２６は、無線通信端末ＵＡ２００が、無線通信ネットワークＲＮＥＴ１、ＲＮＥＴ２の両者とリンクを持つときの内部処理シーケンス図であり、即ち、ハンドオーバ直前のシーケンス図である。図２６に示すように、無線通信ネットワークＲＮＥＴ１とのリンクが確立した後、無線通信端末ＵＡ２００では、無線通信ネットワークＲＮＥＴ１を使ってサーバＳＶ１とエコーメッセージの送信をすることにより、現在の無線通信ネットワークＲＮＥＴ１の平均遅延及びジッタを測定する。また同時に無線通信ネットワークＲＮＥＴ１で取得した無線情報（RSSI、CIR、など）から帯域の予測を行う。【０１０７】
無線通信ＲＮＥＴ２インターフェイス処理部から、品質劣化基準１以下になったことを知らせる「抽象化された”Link_Parameter_Change”というＬ２情報イベント」を制御部へ通知する。制御部では、ハンドオーバの準備を開始するために、無線通信ＲＮＥＴ１インターフェイス処理部に対して無線リンクを確立することを指示すると同時に、無線通信端末ＵＡ１００に対してＬ２情報イベント通知（”Link_Parameter_Change”）を通知する。【０１０８】
無線通信端末ＵＡ２００のバッテリセービングを行う為に、無線通信ネットワークＲＮＥＴ２での通信品質が品質劣化基準１以下にならない限りは、無線通信ネットワークＲＮＥＴ１のデバイスは、スリープモード（ドーマントモード）或いは電源断状態にしておく。無線リンクが確立すると無線通信ＲＮＥＴ１インターフェイス処理部は、制御部に対して無線リンク確立通知を送信する。制御ではこれを受けて、無線通信ＲＮＥＴ１インターフェイス処理部に対してデータ通信能力測定指示を送信する。無線通信ＲＮＥＴ１インターフェイス処理部では、無線通信ネットワークＲＮＥＴ１上のサーバとエコーメッセージの通信を行い、平均遅延とジッタを測定する。また取得した無線情報（RSSI、CIRなど）から無線通信ネットワークＲＮＥＴ１の帯域を予測する。その後無線通信ＲＮＥＴ１インターフェイス処理部は、制御部に対して平均遅延、ジッタ、予測帯域を通知する。無線通信ネットワークＲＮＥＴ２ではさらに通信品質が劣化すると（品質基準２以下）、無線通信ＲＮＥＴ２インターフェイス処理部は制御部に”Link_Going_Down”というＬ２情報イベントを通知する。制御部では、無線通信端末ＵＡ１００にハンドオーバ先の無線通信ネットワークＲＮＥＴ１の予測帯域、平均遅延、平均ジッタを含めて”Link_Going_Down”というＬ２情報イベントを通知する。その後、制御部では、無線通信ネットワークＲＮＥＴ１へのハンドオーバ処理を起動して、無線通信端末ＵＡ１００に”Handover_Initiation”というＬ２情報イベント通知を行う。無線通信ネットワークＲＮＥＴ１へのハンドオーバが完了した時点で、制御部は無線通信端末ＵＡ１００に、”Handover_Complete”というＬ２情報イベント通知を行う。帯域予測方法は下記のような既知の手法を利用する。【０１０９】
＜帯域予測方法＞
例えば無線通信ネットワークとしてCDMA2000 1xEV-DOの場合は、以下のように算出する。
＜上りの予測平均帯域＞
過去T2秒間、T3ms周期でモニターした平均のRSSIから換算したMaxの送信レートを収集してそれらの平均から上りの予測平均帯域を計算する。
＜下りの予測平均帯域＞
T3ms周期でモニターした平均のDRC(Data Rate Control)から、過去T2秒間の平均のDRCを計算する。そのDRCから下りの予測平均帯域を計算する。【０１１０】
図２４の説明に戻るが、無線通信端末ＵＡ２００では、無線通信ネットワークＲＮＥＴ１へのハンドオーバを開始すると同時に、無線通信端末ＵＡ１００のアプリケーションに同じくＳＩＰの拡張機能を利用して、”Handover_Initiation”（EVDOへのハンドオーバ始動）というＬ２情報イベントを通知する。無線通信端末ＵＡ１００では、これを受けて、ハンドオーバ処理の間は、一時的にジッタバッファの容量を大きくして、パケットロスを防止することができる。【０１１１】
続いて、無線通信端末ＵＡ２００において無線通信ネットワークＲＮＥＴ１へのハンドオーバが完了すると、無線通信端末ＵＡ２００は無線通信端末ＵＡ１００のアプリケーションに同じくＳＩＰの拡張機能を利用して、”Handover_Complete”というＬ２情報イベントを通知する。無線通信端末ＵＡ１００では、これを受けて、予め無線通信ネットワークＲＮＥＴ１の平均遅延及びジッタが、事前通知により既知であるので、一時的に大きくしたジッタバッファを、無線通信ネットワークＲＮＥＴ１に適切な大きさに再設定することができる。ハンドオーバの間にコーディックを変更する以外にも、可変ビットレート(VBR)のコーディックを用いている場合は、そのレートを徐々に変更する（この場合は狭帯域のネットワークへハンドオーバするので、小さくする）ことも可能である。【０１１２】
また、アプリケーションがIP TV電話の場合は、無線通信ネットワークＲＮＥＴ１の帯域やジッタにより、ビデオコーディックや音声コーディックをより狭帯域用に変更することもできるし、極端な場合は、映像の送受信を止めて音声のトラヒックのみをアプリケーションが処理することもできる。【０１１３】
実施の形態３で使用されるＳＩＰサーバ（呼制御サーバ）３００、ＳＭＳサーバ（メッセージ送信サーバ）５００は、実施の形態１，２のそれらと同様の構成要素を有し、以下の一部を除いてほぼ同様に機能する。本実施の形態では、呼出要求送信部３５０は、生成された呼出要求情報(ＩＮＦＯメッセージ)をページング制御装置として機能するＳＩＰサーバ（或いは、ページング制御装置として機能する基地局制御装置や基地局）またはＳＭＳサーバに送信する。【０１１４】
図２７は、無線通信端末の機能ブロック図である。図に示すように、無線通信端末ＵＡ２００は、通信処理部１１０、制御部（ＣＰＵ、プロセッサ）１２０、操作（プリファレンス）入力部１３０、ＳＩＰ（拡張）処理部１４０、無線通信ネットワーク選択処理部１５０、格納部１６０、スピーカＳＰ，マイクロフォンＭＩＣ、表示部１７０、音声変調／復調部１８０、および画像変調／復調部１９０を具える。無線通信端末ＵＡ２００は、３つの無線通信インターフェイス処理部２１０、２２０，２３０、およびアンテナＡＮＴをさらに具える。各無線通信インターフェイス処理部２１０，２２０，２３０には、それぞれ異種の無線通信ネットワークに接続する機能を持つ通信カードＣＯＭ１、ＣＯＭ２、ＣＯＭ３が装着される。なお、無線通信手段は、このような外部接続タイプのみならず内蔵タイプでもよい。また、無線通信端末ＵＡ２００は、無線リンク情報取得部２４０、無線リンク情報通知部２５０、コーディック変更部２６０、ジッタバッファ２７０、ジッタバッファ制御部２８０をさらに具える。無線リンク情報取得部２４０はエコーコマンドなどによって無線リンク情報を取得し、無線リンク情報通知部２５０は、取得した無線リンク情報を通信相手に通知する。コーディック変更部２６０は、無線リンク情報に含まれる帯域情報や、コーディック変更情報などに基づき、コーディック変更処理を行う。ジッタバッファ２７０は、一時的な蓄積によってジッタを吸収するバッファであり、ジッタバッファ制御部は、ジッタ情報などに基づき、ハンドオーバ時にバッファ容量を増減したり、ハンドオーバ後の無線通信ネットワークに適したバッファ容量に変更する制御を行う。【０１１５】
なお、制御部１２０は、自装置への呼び出しを検出する呼出検出部と、呼出検出部により自装置への呼び出しを検出すると、１つの無線通信システムを選択し、選択した無線通信システムにより呼び出しに対応する着信を検出する着信検出部として機能する。【０１１６】
また、上述したように、実施の形態３では、実施の形態１で示したＩＮＦＯメッセージやＩＮＶＩＴＥメッセージの記述例（図１０、１１）を用いることができる。【０１１７】
図２８は、本発明の一実施態様による無線通信端末、通信端末、ＳＩＰサーバなどの通信装置がサポートする拡張されたＳＩＰのＩＮＶＩＴＥメッセージフォーマットの一例を示す図である。図に示すように、IINVITEメッセージに
m=audio 49170 RTP/AVP 96
a=rtpmap<EVRC/8000
を挿入して、コーディックをEVRC（Enhanced Variable Rate Codec）、レート8kbpsに変更することを相手端末に通知する。このようなＳＩＰメッセージのフォーマットを用いることによって、本発明のように、コーディック変更を相手端末に伝達して、同期を取ってコーディックを変更することが可能となる。【０１１８】
図２９は、本発明による無線通信端末、通信端末、ＳＩＰサーバなどの通信装置がサポートする拡張されたＳＩＰのＩＮＦＯメッセージフォーマットの一例を示す図である。図に示すように、Ｌ２情報（無線リンク情報）を伝えるため、ＩＮＦＯメッセージに“L2_Information_Event”ヘッダを導入し、“L2_Information_Event”ヘッダフィールドの値としては、無線リンクの電波状態が劣化している（即ち、ハンドオーバを開始する直前である）旨を伝えるLink_Going_Down、他に、ハンドオーバ先の無線通信ネットワーク名、帯域、遅延時間など無線ネットワークに関する情報がある。このような新たなＳＩＰメッセージのフォーマットを導入することによって、本発明のように、無線リンク情報を相手端末に伝達することが可能となる。【０１１９】
図３０は、ハンドオーバに伴うアプリケーションに関するポリシー選択を促す通信端末の表示画面の一例を示す図である。図に示すように、画面には、ハンドオーバ時のポリシーが５つ選択肢として表示されている。ユーザは、５つの選択肢から所望するものを１つ指示・選択し、これが所定の記憶部に格納され、ハンドオーバ時に参照され、選択／設定されたポリシーに応じた処理が選択されることとなる。【０１２０】
実施の形態３においても、実施の形態１と同様に、発信側(Caller Party)の通信端末には、図１２、図１３に示すような表示画面が表示される。【０１２１】
＜実施の形態４＞
次に、実施の形態４として、相手先を呼び出す際にページングを使用する構成を説明する。図３１に、本発明の一実施態様による無線通信ネットワーク構成図を示す。図に示すように、サーバやゲートウェイとしては、ＤＮＳサーバ１０、ＳＩＰサーバ２００、ＳＩＰサーバ３００、ゲートウェイ(GW)４０、ＳＭＳサーバ５０、ＳＩＰサーバ（或いはGW）６０、ＳＩＰサーバ（或いはGW）７００がある。ＳＩＰサーバ２００、３００は、本発明による呼制御サーバとして機能し、ＳＩＰサーバ７００（或いは、基地局制御装置８００、基地局９００）は、本発明によるメッセージ送信サーバとして機能する。発信側および着信側の通信端末やソフトホンとしては、無線通信端末ＵＡ(User Agent)１００，ＵＡ２００、通信端末（ソフトホン）ＵＡ３００がある。これらの各端末は、上述した各サーバやＧＷと、インターネットＮＥＴ１、オペレータパケットネットワークＮＥＴ２、オペレータ回線交換ネットワークＮＥＴ３、オペレータ無線通信パケットネットワークＲＮＥＴ１，ＲＮＥＴ２を介して接続している。【０１２２】
無線通信端末ＵＡ１００は、オペレータ無線通信パケットネットワークＲＮＥＴ２に接続しており、一方、無線通信端末ＵＡ２００は、オペレータ無線通信パケットネットワークＲＮＥＴ１で待ち受けしている。オペレータ無線通信パケットネットワークＲＮＥＴ２は、オペレータ無線通信パケットネットワークＲＮＥＴ１に比べてよりブロードバンドなネットワークである。無線通信端末ＵＡ２００は、複数の無線通信ネットワークに接続することができるいわゆるマルチモード端末である。ここでは簡単のために、オペレータ無線通信パケットネットワークＲＮＥＴ１と、オペレータ無線通信パケットネットワークＲＮＥＴ２に接続できるものとする。無線通信端末ＵＡ２００がオペレータ無線通信パケットネットワークＲＮＥＴ１で待ち受けしている時は、オペレータ無線通信パケットネットワークＲＮＥＴ２のパケット交換網に対しては接続しておらず、未接続の状態である（ＲＮＥＴ２に未接続でなくても良い状況もあるが、ここでは前記の前提で説明する）。【０１２３】
ここで、無線通信端末ＵＡ１００が発信／発呼側(Calling Party)として、リアルタイムアプリケーションサービスの呼出を、着信／着呼側として無線通信端末ＵＡ２００にする場合、リアルタイムアプリケーションを無線通信端末ＵＡ２００で実行する上でのプリファレンスを、ＳＩＰのＩＮＶＩＴＥ（接続開始要求）メッセージに格納して無線通信端末ＵＡ２００に伝える。プリファレンスの内容は、実施の形態３と同様である。【０１２４】
このプリファレンスを無線通信端末ＵＡ２００に伝える方法は、以下の２種類がある。第１の方法は、無線通信端末ＵＡ２００が複数の無線通信ネットワークから１つの無線通信ネッワークを選択して接続する上でのプリファレンス（選択基準）を伝えるために、ＳＩＰに新しくヘッダーとパラメータを定義する方法である。第２の方法は、ＩＮＶＩＴＥのＳＤＰ(Session Description Protocol)によりアプリケーションに特有な帯域を無線通信端末ＵＡ２００に通知し、無線通信端末ＵＡ２００が、通知された必要な帯域を満足する最適な無線通信ネットワークを選択する方法である。何れの場合も、ＳＩＰにより無線通信端末ＵＡ１００のプリファレンスを通知し、無線通信端末ＵＡ２００のオペレータのＳＩＰサーバはその通知されたプリファレンスを呼出要求情報に含めて、ページング制御装置として機能するＳＩＰサーバや基地局制御装置などに通知する。ＳＩＰサーバではさらにプリファレンスをページングメッセージの中に含めてページングメッセージで無線通信端末ＵＡ２００に通知するように配下の基地局制御装置８００、基地局９００を制御する。このようにして、無線通信端末ＵＡ２００は無線通信端末ＵＡ１００のプリファレンスを知ることができる。その後、無線通信端末ＵＡ２００では、通知されたプリファレンスに基づいて一番最適な無線通信ネットワークを選択して、接続した後、当該選択し、接続した一番最適な無線通信ネットワークを介してＳＩＰサーバに登録する。【０１２５】
図３２は、同じオペレータ（無線通信事業者）に契約している無線通信端末で通信する場合のシーケンス図である。図３３は、お互いに異なるＩＳＰ(Internet Service Provider)と契約している端末で通信する場合のシーケンス図である。図３２では、無線通信端末ＵＡ１００が、ＳＩＰサーバ３００に登録した後、無線通信端末ＵＡ２００にＩＮＶＩＴＥを送信する際、帯域と課金に関するプリファレンス（無線通信端末ＵＡ２００の無線通信ネットワーク選択に関するプリファレンス）をＳＩＰの拡張機能を使って伝える場合を示している。なお、本実施の形態では、ＩＮＶＩＴＥメッセージは、実施の形態１で示した記述例（図１０）を用いることができる。無線通信端末ＵＡ１００から送信されたＩＮＶＩＴＥは、登録したＳＩＰサーバ３００にて帯域と課金に関するプリファレンスを含む呼び出し要求情報として、オペレータのＧＷ４０を経てＳＩＰサーバ７００に通知される。ＳＩＰサーバ７００は、通知されたプリファレンスをページングメッセージの中に含めて、無線通信端末ＵＡ２００にページングメッセージを送信するように、配下の基地局制御装置８００、基地局９００を制御する。無線通信端末ＵＡ２００では、ページングで通知されたプリファレンスの内容に応じて一番最適な無線通信ネットワークにてＳＩＰサーバ６０に登録(Register)を行う。図３２、図３３の場合は、帯域を優先して、帯域の大きいオペレータ無線通信パケットネットワークＲＮＥＴ２で登録を行っている。【０１２６】
その後、ＳＩＰの手順にて無線通信端末ＵＡ１００と無線通信端末ＵＡ２００とのセッション（通信）を確立した後で、着信側の無線通信端末ＵＡ２００からはＩＮＦＯメッセージの拡張機能を使って、選択した無線通信ネットワーク名とその無線状態（電波強度）を、発信側の無線通信端末ＵＡ１００に通知する。なお、本実施の形態では、ＩＮＦＯメッセージは、実施の形態１で示した記述例（図１１）を用いることができる。【０１２７】
図３３は、無線通信端末ＵＡ２００のＩＳＰとは異なるＩＳＰに契約をしている端末と無線通信端末ＵＡ２００が通信をする場合のシーケンス図である。この場合も、図２２と同じようにＳＩＰの拡張機能を用いて帯域と課金に関するプリファレンスは、ＩＮＶＩＴＥにて無線通信端末ＵＡ２００のＩＳＰ（オペレータ）のＳＩＰサーバ２００まで通知される。プリファレンス情報を含むＩＮＶＩＴＥをＳＩＰサーバ２００からＳＩＰサーバ３００へレダイレクション(Redirection)して処理する。即ち、本構成では、ＳＩＰサーバ２００は従来のＳＩＰサーバとして振る舞い、ＳＩＰサーバ３００が本発明による新たなＳＩＰフォーマットをサポートする呼制御サーバとして機能する。以降は、図３２の場合と同じである。【０１２８】
先の図２４では、無線通信端末ＵＡ２００が回線交換網に接続できる場合にＳＩＰの拡張を使って、先ず発信側のPreferenceを無線通信端末ＵＡ２００にＳＭＳを使って伝えて、それを満足する無線通信ネットワークＲＮＥＴ２（802.16e）でセッションを確立した後、無線通信ネットワークＲＮＥＴ２での通話品質劣化に伴い抽象化されたＬ２情報を通信相手である無線通信端末ＵＡ１００に通知して、無線通信ネットワークＲＮＥＴ１へのハンドオーバにアプリケーションが適応していることを示している。【０１２９】
図３２では、通話が開始された直後に、ステップＳ９にて、着信端末である無線通信端末ＵＡ２００が、無線リンク情報として電波状態（電界強度）を取得し、取得した情報および選択した無線通信方式（このケースでは、無線状態が強電界、IEEE802.16eが選択されたこと）をＩＮＦＯメッセージ内に格納して、発信端末である無線通信端末ＵＡ１００に伝送している。その後、通話中、無線通信端末ＵＡ２００は、定期的に無線状態を監視し、監視結果（無線リンク情報）を無線通信端末ＵＡ１００に伝送してもよい。そして、定期的に監視している無線状態が劣化した（品質基準1以下）と判定した場合は（ステップＳ１０）、無線通信端末ＵＡ２００は、もう１つの無線通信ネットワークである無線通信ネットワークＲＮＥＴ１（EV-DO）を起動して無線リンクを確立する。その際、同時に通信相手である無線通信端末ＵＡ１００にＳＩＰの拡張機能を使って、ＩＮＦＯメッセージで”Link_Parameter_Change”というＬ２情報イベント（無線リンク情報）を通知して、無線通信端末ＵＡ２００が無線通信ネットワークＲＮＥＴ２から無線通信ネットワークＲＮＥＴ１へのハンドオーバの準備を開始したことを無線通信端末ＵＡ１００のアプリケーションに通知する。その後、ステップＳ１１にて、さらに無線通信端末ＵＡ２００の無線通信ネットワークＲＮＥＴ２での通信品質が劣化して品質基準２以下になった場合、無線通信端末ＵＡ２００では、ハンドオーバ先の平均遅延(150ms)、ジッタ、予測帯域(300kbps)などを含んだ”Link_Going_Down”というＬ２情報イベント（無線リンク情報）を、発信端末である無線通信端末ＵＡ１００のアプリケーションに同じくＳＩＰの拡張機能を使って通知する。【０１３０】
無線通信端末ＵＡ１００では、この場合ハンドオーバ先の無線通信ネットワークＲＮＥＴ１が、現在、無線通信端末ＵＡ２００が使用している無線通信ネットワークＲＮＥＴ２より狭帯域なネットワークであることを知り、アプリケーションが通知された帯域や遅延特性に適応するような、より狭帯域用のコーディック(CODEC)に事前に変更するために、ＩＮＶＩＴＥで無線通信端末ＵＡ２００に問い合わせ（コーディック変更要求）を行う（アプリケーションはこの場合VoIPである）。無線通信端末ＵＡ２００では、このコーディック変更の通知を”ACK”（肯定応答）で了承したことを無線通信端末ＵＡ１００のアプリケーションに通知する。これを受けて無線通信端末ＵＡ１００と無線通信端末ＵＡ２００では、同時にコーディックの変更（或いは、コーディックレートやコーディック処理上の設定値の変更）を行う。なお、図３３は、互いに異なるＩＳＰ(Internet Service Provider)と契約している端末で通信する場合のシーケンス図であるが、図３２のステップＳ９−Ｓ１１と、同様の処理であるステップＳ１２，Ｓ１３，Ｓ１４をトリガーにして、各種の無線リンク情報を発呼側の無線通信端末ＵＡ１００に伝えている。このように、無線通信端末では、IEEE 802.21などで定義されている無線通信メディアに依存しない抽象化されたＬ２情報(無線情報)を端末内部で使うだけではなく、通信相手である無線通信端末或いはインターネット上のマルチメディア端末のアプリケーション或いは制御部に対して、抽象化されたＬ２情報を通知することで、異種メディア間ハンドオーバにもアプリケーションを適確に適応させることができる。【０１３１】
なお、実施の形態４でも、ＳＩＰの拡張機能を使わない構成（例えばＳＤＰを使う）を取ることが可能であるが、実施の形態３と同様であるため、図面および説明を省略する。【０１３２】
実施の形態３，４で使用するＳＩＰサーバ（呼制御サーバ）７００は、図２０に示した実施の形態１のそれと同様の構成要素および機能を有する。【０１３３】
実施の形態３，４によれば、着信側の無線通信端末が複数の無線通信システム（無線通信デバイス／経路／ネットワーク）を選択肢として持つ場合に、着信側において選択された無線通信システムの無線リンク情報を発信側に伝達することが可能となる。この無線リンク情報の伝達によって、発信側はどの無線通信システム（ネットワークなど）が選択されたのか、選択された無線通信システム（ネットワーク）がどのような属性を持つものか、さらには、無線リンクがどのような状況であるのかを把握することが可能となる。これにより、通信に支障がある場合、その原因が相手側ネットワークの問題であるのか否かなどの問題判別を迅速に進めることが可能となる。また、無線リンク情報を受信した側（発信側）では、相手側の無線通信ネットワークが原因となる通信品質の劣化などの原因を容易に知ることが可能となる。【０１３４】
また、上述した実施の形態３，４の利点をまとめると以下のようになる。マルチモード端末で通信中に、通信品質が劣化して他の無線通信ネットワークへハンドオーバする際、通信相手に
・無線ネットワーク切り替え可能性の通知：現在通信中の無線ネットワークがもうすぐ使えなくなるというイベント
・ハンドオーバ準備の通知：他の無線通信ネットワークへのハンドオーバ準備を促すこと
・ハンドオーバ先の無線リンク情報の通知：ハンドオーバ先の無線通信ネットワークで供給できる帯域や遅延特性
・無線ネットワーク切り替え開始イベントの通知：他の無線通信ネットワークへのハンドオーバを開始したイベント
・無線ネットワーク切り替え完了イベントの通知：他の無線通信ネットワークへのハンドオーバが完了したイベント
を通信相手のアプリケーション或いは制御部へＳＩＰで通知することにより、通信相手のアプリケーションは、ハンドオーバにマッチしたアプリケーションのパラメータ（コーディックの種類、コーディック方式、コーディックレート、フレームレート、バッファサイズなど）を適切な値に適切なタイミングで変更することができるので、アプリケーションの品質を維持することができる。【０１３５】
また、ユーザがハンドオーバする際に、
・アプリケーションを変更する。
・ハンドオーバにマッチしたパラメータ（コーディックの種類、コーディック方式、コーディックレート、フレームレート、バッファサイズなど）を適切な値に変更する。
・何も変更しない、
などの選択を行うことができる。【０１３６】
また、マルチモード端末において、無線リンクレイヤから制御部に対して、抽象化されたＬ２情報を交換することにより、無線通信ネットワークに依存しない形で、ハンドオーバのlatency（待ち時間）を短くすることができ、且つバッテリーの無駄な消費を抑えることができる。【０１３７】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部、各ステップなどに含まれる機能などは論理的に矛盾しないように再配置可能であり、複数の部やステップなどを１つに組み合わせたり、或いは、１つの部やステップを分割したりすることが可能である。実施例では、セッションとして「通話」を挙げて説明したが、本発明は通話に限定されず、リアルタイム性アプリケーション、例えば、ストリーミングチャットなどの通信に適用可能である。【０１３８】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部、各部、各ステップなどに含まれる機能などは論理的に矛盾しないように再配置可能であり、複数の部やステップなどを１つに組み合わせたり、或いは分割したりすることが可能である。
【関連出願へのクロスリファレンス】
【０１３９】
本願は、日本国特許出願第2006-353156号（2006年12月27日出願）、日本国特許出願第2006-353279号（2006年12月27日出願）、および日本国特許出願第2007-019624号（2007年1月30日出願）の優先権の利益を主張し、これらの全内容を参照により本願明細書に取り込むものとする。
【図１】
2008078798.tif 000003
【図２】
2008078798.tif 000004
【図３】
2008078798.tif 000005
【図４】
2008078798.tif 000006
【図５】
2008078798.tif 000007
【図６】
2008078798.tif 000008
【図７】
2008078798.tif 000009
【図８】
2008078798.tif 000010
【図９】
2008078798.tif 000011
【図１０】
2008078798.tif 000012
【図１１】
2008078798.tif 000013
【図１２】
2008078798.tif 000014
【図１３】
2008078798.tif 000015
【図１４】
2008078798.tif 000016
【図１５】
2008078798.tif 000017
【図１６】
2008078798.tif 000018
【図１７】
2008078798.tif 000019
【図１８】
2008078798.tif 000020
【図１９】
2008078798.tif 000021
【図２０】
2008078798.tif 000022
【図２１】
2008078798.tif 000023
【図２２】
2008078798.tif 000024
【図２３】
2008078798.tif 000025
【図２４】
2008078798.tif 000026
【図２５】
2008078798.tif 000027
【図２６】
2008078798.tif 000028
【図２７】
2008078798.tif 000029
【図２８】
2008078798.tif 000030
【図２９】
2008078798.tif 000031
【図３０】
2008078798.tif 000032
【図３１】
2008078798.tif 000033
【図３２】
2008078798.tif 000034
【図３３】
2008078798.tif 000035
【国際調査報告】
2008078798.tif 000036
2008078798.tif 000037
2008078798.tif 000038
2008078798.tif 000039